(57)【要約】本発明は、無線通信システムにおいて、送信モード１０が設定された端末が下りリンクデータを受信する方法に関する。特に、この方法では、特定のＴＴＩで、リソース要素（Resource Element；ＲＥ）マッピング情報を有する下りリンク制御情報（Downlink Control Information；ＤＣＩ）を受信し、特定のＴＴＩおよび該特定のＴＴＩに続く少なくとも１つのＴＴＩで、ＲＥマッピング情報が適用されて繰り返し送信される下りリンクデータを受信する。【選択図】図１１
2021523606.tif 000002
【特許請求の範囲】
【請求項１】
無線通信システムにおいて、送信モード１０が設定された端末が下りリンクデータを受信する方法であって、
特定のＴＴＩで、リソース要素（Resource Element；ＲＥ）マッピング情報を有する下りリンク制御情報（Downlink Control Information；ＤＣＩ）を受信し、
前記特定のＴＴＩおよび前記特定のＴＴＩに続く少なくとも１つのＴＴＩで、前記ＲＥマッピング情報が適用されて繰り返し送信される前記下りリンクデータを受信する、下りリンクデータ受信方法。
【請求項２】
前記ＲＥマッピング情報に基づいて前記繰り返し送信される前記下りリンクデータを復号することを有する、請求項１に記載の下りリンクデータ受信方法。
【請求項３】
前記繰り返し送信される前記下りリンクデータを受信することは、
同じ送信ポイント（Transmission Point；ＴＰ）で前記特定のＴＴＩおよび前記少なくとも１つのＴＴＩにおいて繰り返し送信される前記下りリンクデータを受信することを有する、請求項１に記載の下りリンクデータ受信方法。
【請求項４】
前記特定のＴＴＩおよび前記少なくとも１つのＴＴＩは、短いＴＴＩである、請求項１に記載の下りリンクデータ受信方法。
【請求項５】
前記ＤＣＩは、Ｃ−ＲＮＴＩ（Cell-Radio Network Temporary Identifier）に基づくデータスケジューリング関連ＤＣＩである、請求項１に記載の下りリンクデータ受信方法。
【請求項６】
前記ＲＥマッピング情報は、前記特定のＴＴＩおよび前記少なくとも１つのＴＴＩの全てのために同様に使用される、請求項１に記載の下りリンクデータ受信方法。
【請求項７】
前記特定のＴＴＩおよび前記少なくとも１つのＴＴＩは、時間領域において連続する、請求項１に記載の下りリンクデータ受信方法。
【請求項８】
無線通信システムにおいて、下りリンクデータを受信するための送信モード１０が設定された装置であって、
少なくとも１つのプロセッサと、
前記少なくとも１つのプロセッサに動作可能に接続され、実行される場合、前記少なくとも１つのプロセッサが特定の動作を行うようにする命令（instructions）を記憶する少なくとも１つのメモリと、を有し、
前記特定の動作は、
特定のＴＴＩで、リソース要素（Resource Element；ＲＥ）マッピング情報を有する下りリンク制御情報（Downlink Control Information；ＤＣＩ）を受信し、
前記特定のＴＴＩおよび前記特定のＴＴＩに続く少なくとも１つのＴＴＩで、前記ＲＥマッピング情報が適用されて繰り返し送信される前記下りリンクデータを受信することを有する、装置。
【請求項９】
前記少なくとも１つのプロセッサは、
前記ＲＥマッピング情報に基づいて前記繰り返し送信される前記下りリンクデータを復号する、請求項８に記載の装置。
【請求項１０】
前記少なくとも１つのプロセッサは、
同じ送信ポイント（Transmission Point；ＴＰ）で前記特定のＴＴＩおよび前記少なくとも１つのＴＴＩにおいて繰り返し送信される前記下りリンクデータを受信することを有する、請求項８に記載の装置。
【請求項１１】
前記特定のＴＴＩおよび前記少なくとも１つのＴＴＩは、短いＴＴＩである、請求項８に記載の装置。
【請求項１２】
前記ＤＣＩは、Ｃ−ＲＮＴＩ（Cell-Radio Network Temporary Identifier）に基づくデータスケジューリング関連ＤＣＩである、請求項８に記載の装置。
【請求項１３】
前記ＲＥマッピング情報は、前記複数のＴＴＩの全てのために同様に使用される、請求項８に記載の装置。
【請求項１４】
前記特定のＴＴＩおよび前記少なくとも１つのＴＴＩは、時間領域において連続する、請求項８に記載の装置。
【請求項１５】
無線通信システムにおいて、送信モード１０に基づいて動作する基地局が下りリンクデータを送信する方法であって、
特定のＴＴＩで、リソース要素（Resource Element；ＲＥ）マッピング情報を有する下りリンク制御情報（Downlink Control Information；ＤＣＩ）を送信し、
前記特定のＴＴＩおよび前記特定のＴＴＩに続く少なくとも１つのＴＴＩで、前記ＲＥマッピング情報が適用されて繰り返し送信される前記下りリンクデータを送信する、下りリンクデータ送信方法。
【請求項１６】
無線通信システムにおいて、下りリンクデータを受信するための送信モード１０が設定された端末であって、
少なくとも１つのトランシーバと、
少なくとも１つのプロセッサと、
前記少なくとも１つのプロセッサに動作可能に接続され、実行される場合、前記少なくとも１つのプロセッサが特定の動作を行うようにする命令（instructions）を記憶する少なくとも１つのメモリと、を有し、
前記特定の動作は、
特定のＴＴＩで、リソース要素（Resource Element；ＲＥ）マッピング情報を有する下りリンク制御情報（Downlink Control Information；ＤＣＩ）を受信し、
前記特定のＴＴＩおよび前記特定のＴＴＩに続く少なくとも１つのＴＴＩで、前記ＲＥマッピング情報が適用されて繰り返し送信される前記下りリンクデータを受信することを有する、端末。
【請求項１７】
無線通信システムにおいて、下りリンクデータを送信するために送信モード１０に基づいて動作する基地局であって、
少なくとも１つのトランシーバと、
少なくとも１つのプロセッサと、
前記少なくとも１つのプロセッサに動作可能に接続され、実行される場合、前記少なくとも１つのプロセッサが特定の動作を行うようにする命令（instructions）を記憶する少なくとも１つのメモリと、を有し、
前記特定の動作は、
特定のＴＴＩで、リソース要素（Resource Element；ＲＥ）マッピング情報を有する下りリンク制御情報（Downlink Control Information；ＤＣＩ）を送信し、
前記特定のＴＴＩおよび前記特定のＴＴＩに続く少なくとも１つのＴＴＩで、前記ＲＥマッピング情報が適用されて繰り返し送信される前記下りリンクデータを送信することを有する、基地局。
【発明の詳細な説明】
【技術分野】
【０００１】
本発明は、下りリンクデータを送受信する方法およびそのための装置に関する。
【背景技術】
【０００２】
無線通信技術において、ユーザおよび事業者の要求および期待は増す一方である。その上、他の無線アクセス（接続）技術の開発が続いており、将来、競争力を持つためには、新しい技術進化が要求される。ビットあたりのコストの削減、サービス可用性の増大、柔軟な周波数バンドの使用、単純構造およびオープン（開放型）インターフェース、端末の適度な電力消費（消耗）などが要求される。
【発明の概要】
【発明が解決しようとする課題】
【０００３】
本発明は、下りリンクデータを送受信する方法およびそのための装置を提案する。
【０００４】
本発明が遂げようとする技術的課題は、以上で言及した技術的課題に制限されず、言及していない他の技術的課題は、以下の発明の詳細な説明から本発明が属する技術分野における通常の知識を有する者には明確に理解されるであろう。
【課題を解決するための手段】
【０００５】
本発明の実施例による無線通信システムにおいて、送信モード１０が設定された端末が下りリンクデータを受信する方法であって、特定のＴＴＩで、リソース要素（Resource Element；ＲＥ）マッピング情報を有する下りリンク制御情報（Downlink Control Information；ＤＣＩ）を受信し、特定のＴＴＩおよび該特定のＴＴＩに続く少なくとも１つのＴＴＩで、ＲＥマッピング情報が適用されて繰り返し送信される下りリンクデータを受信する。
【０００６】
このとき、ＲＥマッピング情報に基づいて繰り返し送信される下りリンクデータを復号することを有する。
【０００７】
繰り返し送信される下りリンクデータを受信することは、同じ送信ポイント（Transmission Point；ＴＰ）で特定のＴＴＩおよび少なくとも１つのＴＴＩにおいて繰り返し送信される下りリンクデータを受信することを有する。
【０００８】
特定のＴＴＩおよび少なくとも１つのＴＴＩは、短いＴＴＩである。
【０００９】
ＤＣＩは、Ｃ−ＲＮＴＩ（Cell-Radio Network Temporary Identifier）に基づくデータスケジューリング関連ＤＣＩである。
【００１０】
ＲＥマッピング情報は、特定のＴＴＩおよび少なくとも１つのＴＴＩの全てのために同様に使用される。
【００１１】
特定のＴＴＩおよび少なくとも１つのＴＴＩは、時間領域において連続する。
【００１２】
本発明による無線通信システムにおいて、下りリンクデータを受信するための送信モード１０が設定された装置であって、少なくとも１つのプロセッサと、少なくとも１つのプロセッサに動作可能に接続（連結）され、実行される場合、少なくとも１つのプロセッサが特定の動作を行うようにする命令（instructions）を記憶（格納）する少なくとも１つのメモリと、を有し、この特定の動作は、特定のＴＴＩで、リソース要素（Resource Element；ＲＥ）マッピング情報を有する下りリンク制御情報（Downlink Control Information；ＤＣＩ）を受信し、特定のＴＴＩおよび該特定のＴＴＩに続く少なくとも１つのＴＴＩで、ＲＥマッピング情報が適用されて繰り返し送信される下りリンクデータを受信することを有する。
【００１３】
このとき、少なくとも１つのプロセッサは、ＲＥマッピング情報に基づいて繰り返し送信される下りリンクデータを復号する。
【００１４】
少なくとも１つのプロセッサは、同じ送信ポイント（Transmission Point；ＴＰ）で特定のＴＴＩおよび少なくとも１つのＴＴＩにおいて繰り返し送信される下りリンクデータを受信することを有する。
【００１５】
特定のＴＴＩおよび少なくとも１つのＴＴＩは、短いＴＴＩである。
【００１６】
ＤＣＩは、Ｃ−ＲＮＴＩ（Cell-Radio Network Temporary Identifier）に基づくデータスケジューリング関連ＤＣＩである。
【００１７】
ＲＥマッピング情報は、複数のＴＴＩの全てのために同様に使用される。
【００１８】
特定のＴＴＩおよび少なくとも１つのＴＴＩは、時間領域において連続する。
【００１９】
本発明の実施例による無線通信システムにおいて、送信モード１０に基づいて動作する基地局が下りリンクデータを送信する方法であって、特定のＴＴＩで、リソース要素（Resource Element；ＲＥ）マッピング情報を有する下りリンク制御情報（Downlink Control Information；ＤＣＩ）を送信し、特定のＴＴＩおよび該特定のＴＴＩに続く少なくとも１つのＴＴＩで、ＲＥマッピング情報が適用されて繰り返し送信される下りリンクデータを送信する。
【００２０】
本発明による無線通信システムにおいて、下りリンクデータを受信するための送信モード１０が設定された端末であって、少なくとも１つのトランシーバと、少なくとも１つのプロセッサと、少なくとも１つのプロセッサに動作可能に接続され、実行される場合、少なくとも１つのプロセッサが特定の動作を行うようにする命令（instructions）を記憶する少なくとも１つのメモリと、を有し、特定の動作は、特定のＴＴＩで、リソース要素（Resource Element；ＲＥ）マッピング情報を有する下りリンク制御情報（Downlink Control Information；ＤＣＩ）を受信し、特定のＴＴＩおよび該特定のＴＴＩに続く少なくとも１つのＴＴＩで、ＲＥマッピング情報が適用されて繰り返し送信される下りリンクデータを受信することを有する。
【００２１】
本発明による無線通信システムにおいて、下りリンクデータを送信するために送信モード１０に基づいて動作する基地局であって、少なくとも１つのトランシーバと、少なくとも１つのプロセッサと、少なくとも１つのプロセッサに動作可能に接続され、実行される場合、少なくとも１つのプロセッサが特定の動作を行うようにする命令（instructions）を記憶する少なくとも１つのメモリと、を有し、特定の動作は、特定のＴＴＩで、リソース要素（Resource Element；ＲＥ）マッピング情報を有する下りリンク制御情報（Downlink Control Information；ＤＣＩ）を送信し、特定のＴＴＩおよび該特定のＴＴＩに続く少なくとも１つのＴＴＩで、ＲＥマッピング情報が適用されて繰り返し送信される下りリンクデータを送信することを有する。
【発明の効果】
【００２２】
本発明によれば、送信モード１０動作を行う場合にも、高い信頼性および低い遅延時間で下りリンクデータを繰り返し送信することができる。
【００２３】
本発明で得られる効果は、以上で言及した効果に制限されず、言及しなかった他の効果は、下記の記載から、本発明が属する技術分野で通常の知識を有する者に明らかに理解可能であろう。
【図面の簡単な説明】
【００２４】
【図１】無線通信システムの一例を示す図である。
【図２】無線インターフェースプロトコル（Radio Interface Protocol）の制御プレーン（平面）（Control Plane）およびユーザプレーン（User Plane）構造を示す図である。
【図３】３ＧＰＰシステムに用いられる物理チャネルおよびこれらのチャネルを用いた信号送信方法を説明する図である。
【図４】無線フレームの構造を例示する図である。
【図５】下りリンク無線フレームの構造を例示する図である。
【図６】下りリンク制御チャネルを構成するときに使用されるリソース単位を示す図である。
【図７】上りリンクサブフレームの構造を示す図である。
【図８】送信モード１０（Transmission Mode 10；ＴＭ１０）における下りリンク動作の一例を示す図である。
【図９】短いＴＴＩ（Short Transmission Time Interval）の構造を説明する図である。
【図１０】繰り返し送信されるＰＤＳＣＨ（Physical Downlink Shared CHannel）がスケジューリングされる一例を説明する図である。
【図１１】本発明の実施例によるＰＤＳＣＨが繰り返し送信される一例を説明する図である。
【図１２】本発明による端末、基地局およびネットワーク動作を説明する図である。
【図１３】本発明による端末、基地局およびネットワーク動作を説明する図である。
【図１４】本発明による端末、基地局およびネットワーク動作を説明する図である。
【図１５】本発明を行う無線装置の構成要素を示すブロック図である。
【発明を実施するための形態】
【００２５】
本発明は、下りリンクデータを送信および受信することに関し、特に、送信モード（Transmission Mode；ＴＭ）１０で繰り返して送信されるデータを送信および受信する方法および装置に関する。
【００２６】
以下に添付の図面を参照して説明された本発明の実施例から、本発明の構成、作用および他の特徴が容易に理解されるであろう。以下に説明される実施例は、本発明の技術的特徴が３ＧＰＰシステムに適用された例である。
【００２７】
本明細書では、ＬＴＥシステムおよびＬＴＥ−Ａシステムを用いて本発明の実施例を説明するが、これは例示に過ぎず、本発明の実施例は、上述した定義に該当するいかなる通信システムにも適用可能である。また、本明細書では、ＦＤＤ方式に基づいて本発明の実施例を説明するが、これは例示に過ぎず、本発明の実施例は、Ｈ−ＦＤＤ方式またはＴＤＤ方式にも容易に変形して適用できる。
【００２８】
本発明の具現例を適用できる無線通信システムの一例を簡単に説明する。本発明による一部の具現例において、上記無線システムは、３ＧＰＰ  ＬＴＥ（3rd Generation Partnership Project Long Term Evolution；以下、「ＬＴＥ」という）通信システムと互換であることができる。
【００２９】
図１は、無線通信システムの構成に関する一例を示す図である。この無線通信システムの構成は、Ｅ−ＵＭＴＳネットワーク構造を具現するときに使用される。Ｅ−ＵＭＴＳ（Evolved Universal Mobile Telecommunications System）は、ＵＭＴＳ（Universal Mobile Telecommunications System）から進展したシステムであり、一般に、Ｅ−ＵＭＴＳをＬＴＥ（Long Term Evolution）システムともいうことができる。ＵＭＴＳおよびＥ−ＵＭＴＳの技術規格（technical specification）の詳細な内容については、それぞれ「3rd Generation Partnership Project；Technical Specification Group Radio Access Network」のＲｅｌｅａｓｅ７およびＲｅｌｅａｓｅ８を参照できる。
【００３０】
図１を参照すると、Ｅ−ＵＭＴＳは、端末（User Equipment；ＵＥ）、基地局（eNodeB；ｅＮＢ）、およびネットワーク（Ｅ−ＵＴＲＡＮ）の終端に位置し、外部ネットワークに接続するアクセスゲートウェイ（Access Gateway；ＡＧ）を含む。基地局は、ブロードキャストサービス、マルチキャストサービスおよび／またはユニキャストサービスのために多重データストリームを同時に送信することができる。
【００３１】
１つの基地局には、１つまたは複数のセルが存在する。セルは、１．２５、２．５、５、１０、１５、２０ＭＨｚなどの帯域幅のいずれか１つに設定され、複数の端末に下りまたは上り送信サービスを提供する。互いに異なるセルは、互いに異なる帯域幅を提供するように設定される。基地局は、複数の端末に対するデータ送受信を制御する。下りリンク（DownLink；ＤＬ）データに対して、基地局は、下りリンクスケジューリング情報を送信し、該当端末にデータが送信される時間／周波数領域、符号化、データサイズ、ＨＡＲＱ（Hybrid Automatic Repeat and reQuest）関連情報などを知らせる。また、上りリンク（UpLink；ＵＬ）データに対して、基地局は、上りリンクスケジューリング情報を該当端末に送信し、該当端末が使用可能な時間／周波数領域、符号化、データサイズ、ＨＡＲＱ関連情報などを知らせる。基地局（同士の）間には、ユーザトラフィックまたは制御トラフィックの送信のためのインターフェースを用いることができる。コアネットワーク（Core Network；ＣＮ）は、ＡＧ、および端末のユーザ登録などのためのネットワークノードなどで構成可能である。ＡＧは、複数のセルで構成されるＴＡ（Tracking Area）単位に端末の移動性を管理する。
【００３２】
図２は、端末と無線ネットワークとの間の無線インターフェースプロトコル（Radio Interface Protocol）の制御プレーンおよびユーザプレーンの構造を示す図である。一部の具現例において、図２は、端末とＥ−ＵＴＲＡＮとの間の３ＧＰＰ無線アクセスネットワークの規格である。制御プレーンとは、端末（User Equipment；ＵＥ）とネットワークとが信号を管理するために用いる制御メッセージが送信される通信路（通路）のことを意味する。ユーザプレーンとは、アプリケーション層で生成されたデータ、例えば、音声データまたはインターネットパケットデータなどが送信される通信路のことを意味する。
【００３３】
第１層である物理層は、物理チャネル（Physical Channel）を用いて上位層に情報送信サービス（Information Transfer Service）を提供する。物理層は、上位のメディアアクセス（媒体接続）制御（Medium Access Control）層と、トランスポート（送信）チャネル（Transport Channel）を介して接続されている。該トランスポートチャネルを通じてメディアアクセス制御層と物理層との間でデータが移動する。送信側の物理層と受信側の物理層との間では、物理チャネルを通じてデータが移動する。該物理チャネルは、時間および周波数を無線リソースとして活用する。具体的には、物理チャネルは、下りリンクにおいてＯＦＤＭＡ（Orthogonal Frequency Division Multiple Access）方式で変調され、上りリンクにおいてＳＣ−ＦＤＭＡ（Single Carrier Frequency Division Multiple Access）方式で変調される。
【００３４】
第２層のメディアアクセス制御（Medium Access Control；ＭＡＣ）層は、論理チャネル（Logical Channel）を通じて、上位層である無線リンク制御（Radio Link Control；ＲＬＣ）層にサービスを提供する。第２層のＲＬＣ層は、信頼できるデータ送信をサポート（支援）する。ＲＬＣ層の機能は、ＭＡＣ内部の機能ブロックとしてもよい。第２層のＰＤＣＰ（Packet Data Convergence Protocol）層は、帯域幅の狭い無線インターフェースでＩＰｖ４やＩＰｖ６などのＩＰパケットを効率的に送信するために、余分な制御情報を減らすヘッダ圧縮（Header Compression）機能を果たす。
【００３５】
第３層の最下部に位置する無線リソース制御（Radio Resource Control；ＲＲＣ）層は、制御プレーンでのみ定義される。ＲＲＣ層は、無線ベアラ（Radio Bearer）の設定（Configuration）、再設定（Re-configuration）および解放（解除）（Release）に関連して、論理チャネル、トランスポートチャネルおよび物理チャネルの制御を担当する。無線ベアラ（ＲＢ）とは、端末とネットワークとの間のデータ伝達のために第２層により提供されるサービスのことを意味する。そのために、端末のＲＲＣ層とネットワークのＲＲＣ層とは、ＲＲＣメッセージを互いに交換する。端末のＲＲＣ層とネットワークのＲＲＣ層との間にＲＲＣ接続（RRC Connected）がある場合に、端末は、ＲＲＣ接続状態（Connected Mode）にあり、そうでない場合は、ＲＲＣアイドル（休止）状態（Idle Mode）にある。ＲＲＣ層の上位にあるＮＡＳ（Non-Access Stratum）層は、セッション管理（Session Management）およびモビリティ（移動性）管理（Mobility Management）などの機能を果たす。
【００３６】
基地局（ｅＮＢ）を構成する１つのセルは、１．２５、２．５、５、１０、１５、２０ＭＨｚなどの帯域幅のうちの１つに設定されて、複数の端末に下りまたは上り送信サービスを提供する。互いに異なるセルは、互いに異なる帯域幅を提供するように設定される。
【００３７】
ネットワークから端末にデータを送信する下りトランスポートチャネルとしては、システム情報を送信するＢＣＨ（Broadcast CHannel）、ページングメッセージを送信するＰＣＨ（Paging CHannel）、ユーザトラフィックや制御メッセージを送信する下りＳＣＨ（Shared CHannel）などがある。下りマルチキャストまたはブロードキャスト（放送）サービスのトラフィックまたは制御メッセージは、下りＳＣＨを介して送信されてもよく、別の下りＭＣＨ（Multicast CHannel）を通じて送信されてもよい。一方、端末からネットワークにデータを送信する上りトランスポートチャネルとしては、初期制御メッセージを送信するＲＡＣＨ（Random Access CHannel）、ユーザトラフィックや制御メッセージを送信する上りＳＣＨ（Shared CHannel）がある。トランスポートチャネルの上位に存在し、トランスポートチャネルにマッピングされる論理チャネル（Logical Channel）としては、ＢＣＣＨ（Broadcast Control CHannel）、ＰＣＣＨ（Paging Control CHannel）、ＣＣＣＨ（Common Control CHannel）、ＭＣＣＨ（Multicast Control CHannel）、ＭＴＣＨ（Multicast Traffic CHannel）などがある。
【００３８】
図３は、３ＧＰＰシステムに用いられる物理チャネルおよびこれらを用いた一般の信号送信方法を説明する図である。
【００３９】
端末は、電源が入ったり、新しくセルに進入したりした場合に、基地局と同期を取るなどの初期セルサーチ（探索）（Initial cell search）作業を行う（Ｓ３０１）。そのために、端末は、基地局からプライマリ同期チャネル（Primary Synchronization CHannel；Ｐ−ＳＣＨ）およびセカンダリ同期チャネル（Secondary Synchronization CHannel；Ｓ−ＳＣＨ）を受信して基地局と同期を取り、セルＩＤなどの情報を取得すればよい。その後、端末は、基地局から物理ブロードキャストチャネル（Physical Broadcast Channel）を受信し、セル内ブロードキャスト情報を取得できる。一方、端末は、初期セルサーチ（探索）段階で、下りリンク参照信号（DownLink Reference Signal；ＤＬ  ＲＳ）を受信し、下りリンクチャネル状態を確認できる。
【００４０】
初期セルサーチを終えた端末は、物理下りリンク制御チャネル（Physical Downlink Control CHannel；ＰＤＣＣＨ）、および該ＰＤＣＣＨに載せられた情報に基づいて物理下りリンク共有チャネル（Physical Downlink Control CHannel；ＰＤＳＣＨ）を受信することによって、より具体的なシステム情報を取得できる（Ｓ３０２）。
【００４１】
一方、基地局に最初に接続したり信号送信のための無線リソースがない場合には、端末は、基地局にランダムアクセス手順（Random Access Procedure；ＲＡＣＨ）を行ってよい（Ｓ３０３ないしＳ３０６）。そのために、端末は、物理ランダムアクセスチャネル（Physical Random Access CHannel；ＰＲＡＣＨ）を通じて特定シーケンスをプリアンブルとして送信し（Ｓ３０３およびＳ３０５）、ＰＤＣＣＨおよび対応するＰＤＳＣＨを介して、プリアンブルに対する応答メッセージを受信すればよい（Ｓ３０４およびＳ３０６）。コンテンション（競合）ベースのＲＡＣＨについては、競合解決手順（Contention Resolution Procedure）をさらに行ってもよい。
【００４２】
上述の手順を行った端末は、その後、一般的な上りリンク／下りリンク信号送信手順として、ＰＤＣＣＨ／ＰＤＳＣＨ受信（Ｓ３０７）、および物理上りリンク共有チャネル（Physical Uplink Shared CHannel；ＰＵＳＣＨ）／物理上りリンク制御チャネル（Physical Uplink Control CHannel；ＰＵＣＣＨ）送信（Ｓ３０８）を行えばよい。特に、端末は、ＰＤＣＣＨを介して下りリンク制御情報（Downlink Control Information；ＤＣＩ）を受信する。ここで、ＤＣＩは、端末に対するリソース割り当て情報のような制御情報を含んでおり、その使用目的によってフォーマットが異なっている。
【００４３】
一方、端末が上りリンクを通じて基地局に送信するまたは端末が基地局から受信する制御情報としては、下りリンク／上りリンクＡＣＫ／ＮＡＣＫ信号、ＣＱＩ（Channel Quality Indicator）、ＰＭＩ（Precoding Matrix Index）、ＲＩ（Rank Indicator）などを含む。３ＧＰＰ  ＬＴＥシステムでは、端末は、これらのＣＱＩ／ＰＭＩ／ＲＩなどの制御情報をＰＵＳＣＨおよび／またはＰＵＣＣＨを介して送信してもよい。
【００４４】
図４は、ＬＴＥと互換である無線通信システムの具現例で使用される無線フレームの構造を例示する図である。
【００４５】
図４を参照すると、無線フレーム（radio frame）は、１０ｍｓ（３２７２００×Ｔｓ）の長さを有し、１０個の均等なサイズのサブフレームで構成されている。それぞれのサブフレームは、１ｍｓの長さを有し、２個のスロットで構成されている。それぞれのスロットは、０．５ｍｓ（１５３６０×Ｔｓ）の長さを有する。ここで、Ｔｓは、サンプリング時間を表し、Ｔｓ＝１／（１５ｋＨｚ×２０４８）＝３．２５５２×１０-8（約３３ｎｓ）で表示される。スロットは、時間領域において複数のＯＦＤＭシンボルを含み、周波数領域において複数のリソースブロック（Resource Block；ＲＢ）を含む。ＬＴＥシステムにおいて１つのリソースブロックは、１２個の副搬送波×７（６）個のＯＦＤＭシンボルを含む。データの送信される単位時間であるＴＴＩ（Transmission Time Interval）は、１つまたは複数のサブフレーム単位で定めることができる。上述した無線フレームの構造は、一例に過ぎず、無線フレームに含まれるサブフレームの数、サブフレームに含まれるスロットの数、またはスロットに含まれるＯＦＤＭシンボルの数は、様々に変更されてもよい。
【００４６】
図５は、下りリンク無線フレームにおいて１つのサブフレームの制御領域に含まれる制御チャネルを例示する図である。図５に基づく一部の具現例は、ＬＴＥシステムと互換であることができる。
【００４７】
図５を参照すると、サブフレームは、１４個のＯＦＤＭシンボルで構成されている。サブフレーム設定によって先頭の１ないし３個のＯＦＤＭシンボルは、制御領域として用いられ、残りの１３〜１１個のＯＦＤＭシンボルは、データ領域として用いられる。同図で、Ｒ１ないしＲ４は、アンテナ０ないし３に対する参照（基準）信号(Reference Signal (RS)またはPilot Signal）を表す。ＲＳは、制御領域およびデータ領域を問わず、サブフレーム内において一定のパターンで固定される。制御チャネルは、制御領域においてＲＳの割り当てられていないリソースに割り当てられ、トラフィックチャネルもデータ領域においてＲＳの割り当てられていないリソースに割り当てられる。制御領域に割り当てられる制御チャネルには、ＰＣＦＩＣＨ（Physical Control Format Indicator CHannel）、ＰＨＩＣＨ（Physical Hybrid-ARQ Indicator CHannel）、ＰＤＣＣＨ（Physical Downlink Control CHannel）などがある。
【００４８】
ＰＣＦＩＣＨは、物理制御フォーマット指示子チャネルで、サブフレームごとにＰＤＣＣＨに用いられるＯＦＤＭシンボルの個数を端末に知らせる。ＰＣＦＩＣＨは、最初のＯＦＤＭシンボルに位置し、ＰＨＩＣＨおよびＰＤＣＣＨに優先して設定される。ＰＣＦＩＣＨは、４個のＲＥＧ（Resource Element Group）で構成され、それぞれのＲＥＧは、セルＩＤ（Cell IDentity）に基づいて制御領域内に分散される。１つのＲＥＧは、４個のＲＥ（Resource Element）で構成される。ＲＥは、１（個の）副搬送波×１（個の）ＯＦＤＭシンボルとして定義される最小物理リソースを表す。ＰＣＦＩＣＨ値は、帯域幅によって１〜３または２〜４の値を指示し、ＱＰＳＫ（Quadrature Phase Shift Keying）で変調される。
【００４９】
ＰＨＩＣＨは、物理ＨＡＲＱ（Hybrid-Automatic Repeat and reQuest）指示子チャネルで、上りリンク送信に対するＨＡＲＱ  ＡＣＫ／ＮＡＣＫを運ぶために用いられる。すなわち、ＰＨＩＣＨは、ＵＬ  ＨＡＲＱのためのＤＬ  ＡＣＫ／ＮＡＣＫ情報が送信されるチャネルを表す。ＰＨＩＣＨは、１個のＲＥＧで構成され、セル固有（cell-specific）にスクランブル（scrambling）される。ＡＣＫ／ＮＡＣＫは、１ビットで指示され、ＢＰＳＫ（Binary Phase Shift Keying）で変調される。変調されたＡＣＫ／ＮＡＣＫは、拡散率（因子）（Spreading Factor；ＳＦ）＝２または４で拡散される。同一のリソースにマッピングされる複数のＰＨＩＣＨは、ＰＨＩＣＨグループを構成する。ＰＨＩＣＨグループに多重化されるＰＨＩＣＨの個数は、拡散コードの個数によって決定される。ＰＨＩＣＨ（グループ）は、周波数領域および／または時間領域においてダイバーシチ利得を得るために３回繰り返し（repetition）される。
【００５０】
ＰＤＣＣＨは、物理下りリンク制御チャネルで、サブフレームにおける先頭のｎ個のＯＦＤＭシンボルに割り当てられる。ここで、ｎは、１以上の整数であり、ＰＣＦＩＣＨによって指示される。ＰＤＣＣＨは、１つまたは複数のＣＣＥで構成される。ＰＤＣＣＨは、トランスポートチャネルであるＰＣＨ（Paging CHannel）およびＤＬ−ＳＣＨ（DownLink-Shared CHannel）のリソース割り当てに関する情報、上りリンクスケジューリンググラント（Uplink Scheduling Grant）、ＨＡＲＱ情報などを、各端末または端末グループに知らせる。ＰＣＨ（Paging CHannel）およびＤＬ−ＳＣＨ（DownLink-Shared CHannel）は、ＰＤＳＣＨを介して送信される。したがって、基地局および端末は、一般に、特定の制御情報または特定のサービスデータ以外は、ＰＤＳＣＨを介してデータをそれぞれ送信および受信する。
【００５１】
ＰＤＳＣＨのデータがいずれの端末（１つまたは複数の端末）に送信されるものであるか、これらの端末がどのようにＰＤＳＣＨデータを受信してデコードしなければならないかに関する情報などは、ＰＤＣＣＨに含まれて送信される。例えば、特定ＰＤＣＣＨが「Ａ」というＲＮＴＩ（Radio Network Temporary Identity）でＣＲＣマスクされており、「Ｂ」という無線リソース（例えば、周波数位置）および「Ｃ」というＤＣＩフォーマット、すなわち、送信形式情報（例えば、送信ブロックサイズ、変調方式、コーディング情報など）を用いて送信されるデータに関する情報が、特定サブフレームで送信されると仮定する。この場合、セル内の端末は、自体が持っているＲＮＴＩ情報を用いてサーチスペース（検索領域）でＰＤＣＣＨをモニタリング、すなわち、ブラインドデコードし、「Ａ」のＲＮＴＩを持っている１つまたは複数の端末があると、これらの端末は、ＰＤＣＣＨを受信し、受信したＰＤＣＣＨの情報に基づいて「Ｂ」および「Ｃ」によって指示されるＰＤＳＣＨを受信する。
【００５２】
図６は、下りリンク制御チャネルを構成するときに使用されるリソース単位を示す。図６に基づく一部の具現例は、ＬＴＥシステムと互換であることができる。
【００５３】
特に、図６の（ａ）は、基地局の送信アンテナの数が１または２である場合を示し、図６の（ｂ）は、基地局の送信アンテナの数が４である場合を示す。送信アンテナの数によってＲＳ（Reference Signal）パターンが異なるだけであり、制御チャネルに関連するリソース単位の設定方法は、同一である。
【００５４】
図６を参照すると、下りリンク制御チャネルの基本リソース単位は、ＲＥＧ（Resource Element Group）である。ＲＥＧは、ＲＳを除いた状態で４つの隣接するリソース要素（ＲＥ）で構成される。図において、ＲＥＧは、太い線で表わされている。ＰＣＦＩＣＨおよびＰＨＩＣＨは、各々４個のＲＥＧおよび３個のＲＥＧを含む。ＰＤＣＣＨは、ＣＣＥ（Control Channel Elements）単位で構成され、１つのＣＣＥは、９個のＲＥＧを含む。
【００５５】
端末は、自体にＬ個のＣＣＥからなるＰＤＣＣＨが送信されるか否かを確認するために、
2021523606.tif 000003
個の連続したまたは特定の規則に配置されたＣＣＥを確認するように設定される。端末がＰＤＣＣＨ受信のために考えるＬ値は、複数である。端末がＰＤＣＣＨ受信のために確認するＣＣＥ集合をサーチスペース（Search space）という。一例として、ＬＴＥシステムでは、サーチスペースを表１のように定義している。
【００５６】
［表１］
【表１】
2021523606.tif 000004
【００５７】
［表１］において、ＣＣＥアグリゲーション（集成）レベルＬは、ＰＤＣＣＨを構成するＣＣＥの数を示し、
2021523606.tif 000005
は、ＣＣＥアグリゲーションレベルＬのサーチスペースを示し、
2021523606.tif 000006
は、アグリゲーションレベルＬのサーチスペースでモニタリングするＰＤＣＣＨ候補の数である。
【００５８】
サーチスペースは、特定の端末のみに対してアクセス（接近）が許（容）される端末固有（特定）サーチスペース（UE-specific search space）と、セル内の全ての端末に対してアクセスが許される共通サーチスペース（common search space）とに区分される。端末は、ＣＣＥアグリゲーションレベルが４および８である共通サーチスペースをモニタリングし、ＣＣＥアグリゲーションレベルが１、２、４および８である端末固有サーチスペースをモニタリングする。共通サーチスペースおよび端末固有サーチスペースは、オーバーラップすることができる。
【００５９】
また、各ＣＣＥアグリゲーションレベル値に対して任意の端末に与えられるＰＤＣＣＨサーチスペースにおける１番目の（最小インデックスを有する）ＣＣＥの位置は、端末によってサブフレームごとに変化する。これをＰＤＣＣＨサーチスペースハッシング（hashing）という。
【００６０】
ＣＣＥは、システム帯域にわたって分散できる。より具体的には、論理的に連続する複数のＣＣＥがインターリーバ（interleaver）に入力され、インターリーバは、入力された複数のＣＣＥをＲＥＧ単位で並べ替える（取り混ぜる）機能を行う。したがって、１つのＣＣＥを構成する周波数／時間リソースは、物理的にサブフレームの制御領域内で全体周波数／時間領域に散らばって分布する。結局、制御チャネルは、ＣＣＥ単位で構成されるが、インターリーブは、ＲＥＧ単位で行われることにより、周波数ダイバーシチ（diversity）および干渉ランダム化（interference randomization）の利得を最大にすることができる。
【００６１】
図７は、ＬＴＥシステムで用いられる上りリンクサブフレームの構造を示す図である。一部の具現において、この上りリンクサブフレームの構造は、ＬＴＥシステムと互換であることができる。
【００６２】
図７を参照すると、上りリンクサブフレームは、制御情報を運ぶＰＵＣＣＨ（Physical Uplink Control CHannel）が割り当てられる領域と、ユーザデータを運ぶＰＵＳＣＨ（Physical Uplink Shared CHannel）が割り当てられる領域とに区別される。サブフレームにおいて中間部分がＰＵＳＣＨに割り当てられ、周波数領域においてデータ領域の両側部分がＰＵＣＣＨに割り当てられる。ＰＵＣＣＨ上で送信される制御情報は、ＨＡＲＱに用いられるＡＣＫ／ＮＡＣＫ、下りリンクチャネル状態を示すＣＱＩ（Channel Quality Indicator）、ＭＩＭＯのためのＲＩ（Rank Indicator）、上りリンクリソース割り当て要求（要請）であるＳＲ（Scheduling Request）などがある。１つの端末に対するＰＵＣＣＨは、サブフレーム内の各スロットで互いに異なる周波数を占める１つのリソースブロックを使用する。すなわち、ＰＵＣＣＨに割り当てられる２個のリソースブロックは、スロット境界で周波数ホッピング（frequency hopping）する。特に、図６は、ｍ＝０のＰＵＣＣＨ、ｍ＝１のＰＵＣＣＨ、ｍ＝２のＰＵＣＣＨ、ｍ＝３のＰＵＣＣＨがサブフレームに割り当てられるとしている。
【００６３】
送信モード１０（Transmission Mode 10）：協調（行力）マルチポイント（Coordinated Multi-Point：ＣｏＭＰ）
【００６４】
３ＧＰＰ  ＬＴＥ−Ａシステムの改善されたシステム性能要求条件によって、ＣｏＭＰ送受信技術（ｃｏ−ＭＩＭＯ、共同（collaborative）ＭＩＭＯまたはネットワークＭＩＭＯなどでも表現できる）が具現される。ＣｏＭＰ技術は、セル境界（cell-edge）に位置する端末の性能（パフォーマンス）を増加させ、平均セクタースループットを上げることができる。
【００６５】
一般的には、周波数再使用因子（frequency reuse factor）が１であるマルチセル環境において、セル間干渉（Inter-Cell Interference；ＩＣＩ）によってセル境界に位置する端末の性能および平均セクタースループットが減少する。このようなＩＣＩを低減するために、既存のＬＴＥシステムと互換な一部のシステムでは、端末固有の電力制御による部分周波数再使用（Fractional Frequency Reuse；ＦＦＲ）のような単純な手動的技法を用いて、干渉による制限を受ける環境でセル境界に位置する端末が適切なスループット性能を有するようにする方法が適用される。しかしながら、セルあたりの周波数リソースの使用を減らす（下げる）より、ＩＣＩを低減するかまたはＩＣＩを端末が望む信号として再使用する方が好ましい。この目的を達成するために、ＣｏＭＰ送信技法が適用される。
【００６６】
下りリンクの場合に適用されるＣｏＭＰ技術は、大きくジョイント処理（プロセシング）（Joint Processing；ＪＰ）技法と、調整スケジューリング／ビームフォーミング（形成）（Coordinated Scheduling/Beamforming；ＣＳ／ＣＢ）技法とに分類されることができる。
【００６７】
ＪＰ技法は、ＣｏＭＰ協調単位の各々のポイント（基地局）でデータを用いる。ＣｏＭＰ協調単位は、協調送信技法に用いられる基地局の集合を意味する。ＪＰ技法は、ジョイント送信（Joint transmission）技法と、動的セル選択（Dynamic cell selection）技法とに分類されることができる。
【００６８】
ジョイント送信技法は、ＰＤＳＣＨが一度（１回）に複数のポイント（ＣｏＭＰ協調単位の一部または全部）から送信される技法をいう。例えば、単一の端末に送信されるデータは、複数の送信ポイントから同時に送信される。ジョイント送信技法によれば、コヒーレント（coherently）にまたは非コヒーレント（non-coherently）に受信信号の品質が向上し、また、他の端末に対する干渉を能動的に消去することができる。
【００６９】
動的セル選択技法は、ＰＤＳＣＨが一度に（ＣｏＭＰ協調単位の）１つのポイントから送信される技法をいう。すなわち、特定の時点で単一の端末に送信されるデータは、１つのポイントから送信され、その時点で、協調単位内の他のポイントは、該当端末に対してデータ送信を行わず、該当端末にデータを送信するポイントが動的に選択される。
【００７０】
なお、ＣＳ／ＣＢ技法によれば、ＣｏＭＰ協調単位が単一の端末に対するデータ送信のビームフォーミングを協調して行うことができる。ここで、データは、サービングセル（Serving-cell）のみで送信されるが、ユーザスケジューリング／ビームフォーミングは、該当ＣｏＭＰ協調単位のセルの調整により決定される。
【００７１】
上りリンクの場合、調整（coordinated）マルチポイント受信は、地理的に離れた複数のポイントの調整により送信された信号を受信することを意味する。上りリンクの場合に適用できるＣｏＭＰ技法は、ジョイント受信（Joint Reception；ＪＲ）と調整スケジューリング／ビームフォーミング（Coordinated Scheduling/Beamforming；ＣＳ／ＣＢ）とに分類されることができる。
【００７２】
ＪＲ技法は、ＰＵＳＣＨを介して送信された信号が複数の受信ポイントで受信されることを意味し、ＣＳ／ＣＢ技法は、ＰＵＳＣＨが１つのポイントのみで受信されるが、ユーザスケジューリング／ビームフォーミングは、ＣｏＭＰ協調単位のセルの調整により決定されることを意味する。
【００７３】
かかるＣｏＭＰシステムを用いると、端末は、マルチセル基地局（Multi-cell base station）により共同でデータがサポートされる。各基地局は、同一の無線周波数リソース（Same radio Frequency Resource）を用いて１つまたは複数の端末を同時にサポートすることにより、システム性能を向上させることができる。また、基地局は、基地局と端末との間のチャネル状態情報に基づいて空間分割多元（多重）接続（Space Division Multiple Access：ＳＤＭＡ）方法を行うことができる。
【００７４】
ＣｏＭＰシステムにおいて、サービング基地局ならびに１つもしくは複数の協調基地局は、バックボーンネットワーク（Backbone Network）によりスケジューラに接続される。スケジューラは、バックボーンネットワークを介して各基地局が測定した各端末と協調基地局との間のチャネル状態に関するチャネル情報がフィードバックされて動作することができる。例えば、スケジューラは、サービング基地局ならびに１つもしくは複数の協調基地局に対して協調（行力的）ＭＩＭＯ動作のための情報をスケジューリングすることができる。すなわち、スケジューラで協調ＭＩＭＯ動作に対して各基地局に直接指示することができる。
【００７５】
上述したように、ＣｏＭＰシステムは、複数のセルを１つのグループに集めて仮想ＭＩＭＯシステムで動作することであり、基本的にはマルチ（多重）アンテナを使用するＭＩＭＯシステムの通信技法が適用される。
【００７６】
ＣｏＭＰ（送信モード１０）およびＣＳＩプロセス
【００７７】
図８は、下りリンクＣｏＭＰ（送信モード１０）動作の例を示す図である。
【００７８】
図８の例において、ＵＥは、ｅＮＢ１とｅＮＢ２との間に位置し、２つのｅＮＢは、該当ＵＥへの干渉を減少させるために、ＪＴ（Joint Transmission）、ＤＣＳ（Dynamic Cell Selection）、ＤＰＢ（Dynamic Point Blanking）、ＣＳ／ＣＢ（Coordinated Scheduling/Beamforming）などの適切なＣｏＭＰ動作を行う。ＵＥは、このようなＣｏＭＰ動作を助けるために適切なＣＳＩフィードバックを行うが、このＣＳＩフィードバックには、各ｅＮＢに関するＲＩ情報、ＰＭＩ情報およびＣＱＩ情報が含まれ、さらに、ＪＴのための２つのｅＮＢ間のチャネル情報（例えば、ｅＮＢ１からＵＥへのチャネルとｅＮＢ２からＵＥへのチャネルとの間の位相オフセット情報）が含まれる。
【００７９】
図８において、ＵＥは、自体のサービングセルであるｅＮＢ１にＣＳＩフィードバック報告を行うことが示されているが、状況によって、ｅＮＢ２にＣＳＩフィードバック報告を行うか、または２つのｅＮＢが全部ＣＳＩフィードバックを受信することもできる。
【００８０】
ネットワークによるＣｏＭＰスケジューリングをサポートするために、ＵＥは、サービングｅＮＢ／ＴＰのＤＬ（DownLink）ＣＳＩ情報だけではなく、ＣｏＭＰに参与する隣接するｅＮＢ／ＴＰのＤＬ  ＣＳＩ情報も共にフィードバックすることができる。このために、ＵＥは、様々なデータ送信ｅＮＢ／ＴＰの様々な干渉環境を反映する多数のＣＳＩプロセスに対するＣＳＩを生成およびフィードバックすることができる。
【００８１】
ＣｏＭＰ  ＣＳＩ計算において、干渉測定のためには、干渉リソース（ＩＭＲ）が使用される。ＵＥには、１つまたは複数のＩＭＲが設定され、ＩＭＲは、各々独立した設定を有する。すなわち、各々のＩＭＲの発生周期、サブフレームオフセット、リソース設定（すなわち、ＲＥマッピング位置）は、独立して与えられ、これらの情報は、上位層（例えば、ＲＲＣ層）によりネットワークからＵＥにシグナリングされる。
【００８２】
一部の具現例によっては、ＣｏＭＰ  ＣＳＩ計算において所望のチャネルまたは信号の測定のためにＣＳＩ−ＲＳが使用される。ＵＥには、１つまたは複数のＣＳＩ−ＲＳが設定され、ＣＳＩ−ＲＳは、各々独立した設定を有する。すなわち、各々のＣＳＩ−ＲＳの送信周期、サブフレームオフセット、リソース設定（すなわち、ＲＥマッピング位置）、送信電力に対する仮定（すなわち、パラメータＰＣ）、アンテナポート数に対する設定が独立して与えられ、これらの情報は、上位層（例えば、ＲＲＣ層）によりネットワークからＵＥにシグナリングされる。これを信号測定リソース（ＳＭＲ）ともいう。
【００８３】
ＵＥに設定された１つまたは複数のＣＳＩ−ＲＳと１つまたは複数のＩＭＲとのうち、信号測定のための１つのＣＳＩ−ＲＳリソースと干渉測定のための１つのＩＭＲとの関連付け（連関）（または組み合わせ）により、１つのＣＳＩプロセスが定義される。互いに異なるＣＳＩプロセスに対して計算または導出（誘導）されたＣＳＩ情報は、独立した周期およびサブフレームオフセットによって、ＵＥからネットワークへフィードバックされる。すなわち、各々のＣＳＩプロセスは、独立したＣＳＩフィードバック設定を有する。かかるＣＳＩ−ＲＳリソースとＩＭＲとの関連付け（または組み合わせ）に関する情報およびＣＳＩフィードバック設定情報などは、ＣＳＩプロセスごとに上位層シグナリングによりネットワークからＵＥに提供される。図１０の例において、例えば、以下の表２のような３つのＣＳＩプロセスがＵＥに対して設定される。
【００８４】
［表２］
【表２】
2021523606.tif 000007
【００８５】
上記表２において、ＣＳＩ−ＲＳ０は、ＵＥのサービングｅＮＢであるｅＮＢ１から受信するＣＳＩ−ＲＳを示し、ＣＳＩ−ＲＳ１は、協調に参与する隣接したｅＮＢであるｅＮＢ２から受信するＣＳＩ−ＲＳを示す。
【００８６】
以下の表３は、上記表２の３つのＩＭＲ設定（ＩＭＲ０、ＩＭＲ１およびＩＭＲ２）を示す。ＩＭＲ０は、ｅＮＢ１では、ミューティング（muting）（またはヌル（null）信号送信）を行い、ｅＮＢ２では、データ送信を行うリソースで設定され、ＵＥは、ＩＭＲ０からｅＮＢ１を除いた他のｅＮＢからの干渉を測定する。ＩＭＲ１は、ｅＮＢ２では、ミューティングを行い、ｅＮＢ１では、データ送信を行うリソースで設定され、ＵＥは、ＩＭＲ１からｅＮＢ２を除いた他のｅＮＢからの干渉を測定する。ＩＭＲ２は、ｅＮＢ１およびｅＮＢ２が全部ミューティングを行うリソースで設定され、ＵＥは、ＩＭＲ２から、ｅＮＢ１およびｅＮＢ２を除いた他のｅＮＢからの干渉を測定する。
【００８７】
［表３］
【表３】
2021523606.tif 000008
【００８８】
上記表２において、ＣＳＩ  ｐｒｏｃｅｓｓ０のＣＳＩ情報は、ｅＮＢ１からデータを受信する場合に対する最適なＲＩ、ＰＭＩ、ＣＱＩ情報を示す。ＣＳＩ  ｐｒｏｃｅｓｓ１のＣＳＩ情報は、ｅＮＢ２からデータを受信する場合に対する最適なＲＩ、ＰＭＩ、ＣＱＩ情報を示す。ＣＳＩ  ｐｒｏｃｅｓｓ２のＣＳＩ情報は、ｅＮＢ１からデータを受信し、ｅＮＢ２から全く干渉されない場合に対する最適なＲＩ、ＰＭＩ、ＣＱＩ情報を示す。
【００８９】
ＱＣＬ（Quasi Co-Location）
【００９０】
ＱＣまたはＱＣＬ（Quasi Co-Located）関係は、信号に対する観点またはチャネルに対する観点で説明することができる。
【００９１】
１つのアンテナポート上で受信される信号の大規模特性が他のアンテナポート上で受信される信号から類推される場合、これらの２つのアンテナポートがＱＣＬされたといえる。ここで、信号の大規模特性とは、遅延拡散、ドップラシフト、周波数シフト、平均受信電力および受信タイミングのうちのいずれか１つを含む。
【００９２】
あるいは、１つのアンテナポート上のシンボルが送信されるチャネルの大規模特性が他のアンテナポート上のシンボルが送信されるチャネルの特性から類推される場合、これらの２つのアンテナポートがＱＣＬされたといえる。ここで、チャネルの大規模特性とは、遅延拡散、ドップラ拡散、ドップラシフト、平均利得および平均遅延のうちのいずれか１つを含む。
【００９３】
本発明において、ＱＣまたはＱＣＬという用語を使用する際、上述した信号観点またはチャネル観点の定義を区分しない。
【００９４】
端末の立場でＱＣＬに対する仮定が成立するアンテナポート間には、実際に２つのアンテナポートがｃｏ−ｌｏｃａｔｅｄされていなくてもまるでｃｏ−ｌｏｃａｔｅｄされていると仮定することができる。例えば、端末は、ＱＣＬ仮定が成立する２つのアンテナポートが同一の送信ポイント（ＴＰ）に存在すると仮定する。
【００９５】
例えば、特定のＣＳＩ−ＲＳアンテナポートと、特定の下りリンクＤＭＲＳアンテナポートと、特定のＣＲＳアンテナポートと、がＱＣＬされていると設定できる。これは、特定のＣＳＩ−ＲＳアンテナポートと、特定の下りリンクＤＭＲＳアンテナポートと、特定のＣＲＳアンテナポートと、が１つのサービングセルからのものである場合である。
【００９６】
また、ＣＳＩ−ＲＳアンテナポートと下りリンクＤＭＲＳアンテナポートとがＱＣＬされていると設定することもできる。例えば、複数のＴＰが参与するＣｏＭＰ状況において、あるＣＳＩ−ＲＳアンテナポートが実際にどのＴＰから送信されるものであるかを、端末は、明示的に知らない。この場合、特定のＣＳＩ−ＲＳアンテナポートと特定のＤＭＲＳアンテナポートとがＱＣＬされていることを端末に知らせることができる。これは、特定のＣＳＩ−ＲＳアンテナポートと特定のＤＭＲＳアンテナポートとが、ある１つのＴＰからのものである場合である。
【００９７】
この場合、端末は、ＣＳＩ−ＲＳまたはＣＲＳを用いて得たチャネルの大規模特性情報を用いて、ＤＭＲＳによるチャネル推定の性能を高めることができる。例えば、ＣＳＩ−ＲＳにより推定されたチャネルの遅延拡散を用いて、ＤＭＲＳから推定されたチャネルの干渉を抑制するなどの動作を行うことができる。
【００９８】
一部の具現例において、端末は、１つのアンテナポートのためのチャネル推定を行うために、他のアンテナポートの推定結果を適用する。
【００９９】
例えば、遅延拡散およびドップラ拡散について、端末は、ある１つのアンテナポートに対する電力遅延プロファイル（power-delay-profile）、遅延拡散およびドップラスペクトル、ドップラ拡散推定結果を、他のアンテナポートに対するチャネル推定時に使用されるウィーナーフィルタ（Wiener filter）などに同様に適用することができる。また、周波数シフトおよび受信タイミングについて、端末は、ある１つのアンテナポートに対する時間および周波数同期（Synchronization）を行った後、同一の同期を他のアンテナポートの復調に適用することができる。また、平均受信電力について、端末は、２つ以上のアンテナポートに対して参照信号受信電力（Reference Signal Received Power；ＲＳＲＰ）の測定を平均化することができる。
【０１００】
例えば、端末がＰＤＣＣＨまたはＥｎｈａｎｃｅｄ−ＰＤＣＣＨ（ＥＰＤＣＣＨ）を介して特定のＤＭＲＳに基づく（基盤の）ＤＬ関連ＤＣＩフォーマット（DMRS-based DL-related DCI format）によりＤＬスケジューリング情報を受信することができる。この場合、端末は、設定されたＤＭＲＳシーケンスにより該当スケジューリングされたＰＤＳＣＨに対するチャネル推定を行った後、データ復調を行う。例えば、端末がかかるＤＬスケジューリング情報からのＤＭＲＳポート設定が特定のＲＳ（例えば、特定のＣＳＩ−ＲＳ、特定のＣＲＳまたは自体のＤＬサービングセルＣＲＳなど）ポートとＱＣＬされたと仮定できると、端末は、該当ＤＭＲＳポートによるチャネル推定時に、特定ＲＳのポートから推定した遅延拡散などの大規模特性の推定値をそのまま適用して、ＤＭＲＳに基づく受信性能を向上させることができる。
【０１０１】
これは、ＣＳＩ−ＲＳまたはＣＲＳは、周波数領域（ドメイン）において全帯域にわたって送信されるセル固有の信号であるため、端末固有に送信されるＤＭＲＳに比べてチャネルの大規模特性をより正確に把握することができるためである。特に、ＣＲＳは、各サブフレームで全帯域にわたって相対的に高い密度でブロードキャストされる参照信号であるため、一般的にチャネルの大規模特性に対する推定値をＣＲＳから安定かつ正確に得ることができる。反面、ＤＭＲＳは、スケジューリングされた特定のＲＢのみで端末固有に送信されるので、ＤＭＲＳを用いたチャネルの大規模特性の推定値の精度（正確度）がＣＲＳまたはＣＳＩ−ＲＳに比べて落ちる。また、端末に多数のＰＲＢＧがスケジューリングされた場合であっても、基地局が送信に使用したプリコーディング行列は、物理リソースブロックグループ（ＰＲＢＧ）単位で変化できるため、端末によって受信される有効チャネルは、ＰＢＲＧ単位で変化する。したがって、広い帯域にわたってＤＭＲＳに基づいて大規模チャネル特性を推定しても、その正確性が落ちることがある。
【０１０２】
なお、端末は、ＱＣＬされていない（Non-Quasi-Co-Located；ＮＱＣ）アンテナポート（ＡＰ）について、該当ＡＰが同じ大規模チャネル特性を有するとは仮定できない。この場合、端末は、タイミング獲得および追跡（timing acquisition and tracking）、周波数オフセット推定および補償（frequency offset estimation and compensation）、遅延推定ならびにドップラ推定などについて、ＮＱＣ  ＡＰごとに独立して処理しなければならない。
【０１０３】
ＰＤＳＣＨリソースマッピングパラメータ
【０１０４】
ＱＣＬの有無は、下りリンク制御情報（例えば、ＤＣＩフォーマット２ＤのＰＱＩフィールド（ＰＤＳＣＨ  ＲＥマッピングおよびＱＣＬ指示子フィールド））により端末に提供される。具体的には、ＱＣＬ設定に関するパラメータセット（例えば、最大４個のパラメータセット）が上位層により予め設定されており、ＤＣＩフォーマット２ＤのＰＱＩフィールドにより、ＱＣＬパラメータセットのうち、特定の１つのパラメータセットが指示される。
【０１０５】
また、アンテナポートインデックス７ないし１４（すなわち、ＵＥ−ｓｐｅｃｉｆｉｃ  ＲＳアンテナポート）上で送信されるＰＤＳＣＨの復号のために、端末に、ＱＣＬタイプＡまたはＱＣＬタイプＢのうちのいずれか１つが上位層により（例えば、上位層パラメータｑｃｌ−Ｏｐｅｒａｔｉｏｎによって）設定されることができる。
【０１０６】
ＱＣＬタイプＡは、端末が、サービングセルのアンテナポートインデックス０ないし３（すなわち、ＣＲＳアンテナポート）、７ないし１４（すなわち、ＵＥ−ｓｐｅｃｉｆｉｃ  ＲＳアンテナポート）および１５ないし２２（すなわち、ＣＳＩ−ＲＳアンテナポート）が、遅延拡散、ドップラ拡散、ドップラシフトおよび平均遅延についてＱＣＬされていると仮定する動作方式であるといえる。
【０１０７】
ＱＣＬタイプＢは、端末が上位層により与えられるＮＺＰ（Non-Zero Power）ＣＳＩ−ＲＳ設定情報（ｑｃｌ−ＣＳＩ−ＲＳ−ＣｏｎｆｉｇＮＺＰＩｄ−ｒ１１）により識別されるＣＳＩ−ＲＳリソース設定に該当するアンテナポートインデックス１５ないし２２（すなわち、ＣＳＩ−ＲＳアンテナポート）およびＰＤＳＣＨに関連付けられるアンテナポート７ないし１４（すなわち、ＵＥ−ｓｐｅｃｉｆｉｃ  ＲＳアンテナポート）が、ドップラシフト、ドップラ拡散、平均遅延および遅延拡散についてＱＣＬされていると仮定する動作方式であるといえる。
【０１０８】
ＱＣＬタイプＢに設定された端末は、検出されたＰＤＣＣＨ／ＥＰＤＣＣＨのＤＣＩフォーマット２ＤのＰＱＩフィールドが指示するパラメータセットを用いてＰＤＳＣＨ  ＲＥマッピングを決定し、また、ＰＤＳＣＨ  ＡＰ  ＱＣＬを決定する。以下の表４は、
ＤＣＩフォーマット２ＤのＰＱＩフィールドを示す。
【０１０９】
［表４］
【表４】
2021523606.tif 000009
【０１１０】
上位層シグナリングにより設定されるＰＤＳＣＨ  ＲＥマッピングおよびＰＤＳＣＨ  ＡＰ  ＱＣＬを決定するための各々のパラメータセットは、ＣＲＳポート数情報（ｃｒｓ−ＰｏｒｔｓＣｏｕｎｔ−ｒ１１）、ＣＲＳ周波数シフト情報（ｃｒｓ−ＦｒｅｑＳｈｉｆｔ−ｒ１１）、ＭＢＳＦＮ（Multicast Broadcast Single Frequency Network）サブフレーム設定情報（ｍｂｓｆｎ−ＳｕｂｆｒａｍｅＣｏｎｆｉｇＬｉｓｔ−ｒ１１）、ＺＰ  ＣＳＩ−ＲＳ（Zero Power Channel State Information-Reference Signal）設定情報（ｃｓｉ−ＲＳ−ＣｏｎｆｉｇＺＰＩｄ−ｒ１１）、ＰＤＳＣＨ開始シンボル値（ｐｄｓｃｈ−Ｓｔａｒｔ−ｒ１１）、またはＮＺＰ（Non-Zero Power）ＣＳＩ−ＲＳ設定情報（ｑｃｌ−ＣＳＩ−ＲＳ−ＣｏｎｆｉｇＮＺＰＩｄ−ｒ１１）のうちの１つまたは複数のパラメータを含む。
【０１１１】
ＱＣＬタイプＢに設定された端末は、Ｃ−ＲＮＴＩによりＣＲＣマスクされているＤＣＩフォーマット１ＡのＰＤＣＣＨ／ＥＰＤＣＣＨを検出する、上記表４のパラメータセット１を用いて、アンテナポートインデックス７上で送信されるＰＤＳＣＨ復号を行うように動作することができる。
【０１１２】
端末がＤＣＩフォーマット１ＡのＰＤＣＣＨ／ＥＰＤＣＣＨによりスケジューリングされるＰＤＳＣＨを復号するにおいて、ＰＤＳＣＨがアンテナポートインデックス０ないし３（すなわち、ＣＲＳアンテナポート）上で送信される場合は、端末は、最小（最低）インデックスのＺＰ  ＣＳＩ−ＲＳリソースを用いてＰＤＳＣＨ  ＲＥマッピングを決定することができる。
【０１１３】
ＰＤＳＣＨに対するアンテナポートＱＣＬ
【０１１４】
端末は、サービングセルのアンテナポートインデックス０ないし３（すなわち、ＣＲＳアンテナポート）が、遅延拡散、ドップラ拡散、ドップラシフト、平均利得および平均遅延に対してＱＣＬされていると仮定することができる。
【０１１５】
端末は、サービングセルのアンテナポートインデックス７ないし１４（すなわち、ＵＥ−ｓｐｅｃｉｆｉｃ  ＲＳアンテナポート）が、特定のサブフレームにおいて遅延拡散、ドップラ拡散、ドップラシフト、平均利得および平均遅延に対してＱＣＬされていると仮定することができる。
【０１１６】
端末は、サービングセルのアンテナポートインデックス０ないし３（すなわち、ＣＲＳアンテナポート）、５（すなわち、３ＧＰＰ  ＬＴＥリリース８で定義されたＵＥ−Ｓｐｅｃｉｆｉｃ  ＲＳアンテナポート）、７ないし１４（すなわち、３ＧＰＰ  ＬＴＥリリース９以後に定義されたＵＥ−Ｓｐｅｃｉｆｉｃ  ＲＳアンテナポート）および１５ないし２２（すなわち、ＣＳＩ−ＲＳアンテナポート）が、ドップラシフト、ドップラ拡散、平均遅延および遅延拡散に対してＱＣＬされていると仮定することができる。
【０１１７】
以下、本発明による下りリンクデータチャネルの送受信方法について本格的に説明する。
【０１１８】
次世代通信システムでは、情報の送受信時に非常に短い遅延時間（latency）および非常に高い信頼度（reliability）を達成するための様々な方法を考えている。このために、遅延時間および／または信頼性のような様々なターゲットＱｏＳ要求事項を設定し、各ターゲットＱｏＳ要求事項によって動作が変化することにより、該当ターゲットＱｏＳ要求事項を要求するサービスを効率的に提供する方法が考えられている。
【０１１９】
本発明では、セルラ通信システムにおいて、基地局が端末により高い信頼性および低い遅延時間のために下りリンクデータを繰り返し送信するとき、送信モード１０動作を行うための新しい方法を提案する。
【０１２０】
本発明における発明事項および／または実施例は、１つの提案方式であると思われるが、各発明事項および／または実施例の間の組み合わせも新しい方式として判断できる。また、特定の発明事項は、本発明で提示する実施例に限られず、特定のシステムにも限られない。すなわち、特定の発明事項が、本発明で提示する実施例から通常の技術者が容易に類推できる範囲内で拡張され、本発明の実施例が適用可能な通信システムであれば、ＬＴＥ、ＬＴＥ−Ａ、ＬＴＥ−Ｐｒｏ、ＮＲ、ＩＥＥＥなどの様々な通信システムにも適用可能である。
【０１２１】
本発明の全てのパラメータ、動作、各パラメータおよび／もしくは動作の間の組み合わせ、該当パラメータおよび／もしくは動作の適用の有無ならびに／または各パラメータおよび／もしくは動作の間の組み合わせの適用の有無などは、基地局が端末に上位層シグナリングおよび／もしくは物理層シグナリングにより指示するか、または予めシステムで定義されることができる。
【０１２２】
本発明において異なるサブフレームタイプに関する内容は、異なる送信モード（Transmission Mode；ＴＭ）についてもそのまま適用されることができる。例えば、同一のサブフレームタイプに設定された２（個の）サブフレームの間で送信モードが変更されて相異なるようになる場合にも、そのまま適用できる。本発明で説明するＴＴＩ（Transmission Time Interval）は、サブスロット／スロット／サブフレームなどの様々なＴＴＩ長の単位に対応することができる。
【０１２３】
ここで、サブスロットおよびスロットは、短いＴＴＩ（Short TTI）と呼ばれる。すなわち、短いＴＴＩは、サブスロットおよびスロットを含む。短いＴＴＩは、１ｍｓの長さを有するＤＬ−ＳＣＨ（DownLink Shared CHannel）およびＵＬ−ＳＣＨ（UpLink Shared CHannel）より短い長さで定義され、短いＴＴＩをサポートするための制御チャネルは、ＳＰＤＣＣＨ（Short PDCCH）およびＳＰＵＣＣＨ（Short PUCCH）も１ｍｓより短い持続時間で送信される。このとき、スロットは、０．５ｍｓ区間を有し、よって、７個のシンボルで構成できる。なお、サブスロットは、２個または３個のシンボルで構成される。
【０１２４】
また、ＴＤＤシステムの場合、スロット単位で短いＴＴＩに基づく送信が行われ、ＦＤＤシステムの場合には、スロットおよび／またはサブスロット単位の短いＴＴＩに基づく送信が行われる。
【０１２５】
このとき、１つのサブフレームは、６個のサブスロットで構成され、ＰＤＣＣＨのために使用されるシンボル数によってサブスロットが配置されるパターンが変わる。具体的には、ＰＤＣＣＨのために使用されるシンボル数が１または３である場合、図９（ａ）のように０番目のサブスロットと５番目のサブスロットとが３（個の）シンボルで構成され、残りのサブスロットは、２（個の）シンボルで構成される。
【０１２６】
反面、ＰＤＣＣＨのために使用されるシンボル数が２である場合は、図９（ｂ）のように１番目のサブスロットと５番目のサブスロットとが３（個の）シンボルで構成され、残りのサブスロットは、２（個の）シンボルで構成される。
【０１２７】
下りリンク送信の信頼性を高めるために、データを繰り返して送信することができる。例えば、図１０（ａ）のように、制御チャネルと該制御チャネルとが、スケジューリングするデータチャネルをＴＴＩごとに独立して送信し、各制御チャネルで、ＨＡＲＱプロセッサ番号（HARQ Process number）、ＮＤＩ（New Data Indicator）などを活用して複数のＴＴＩで送信されるデータチャネルが同じトランスポートブロック（Transmission Block；ＴＢ）を送信することを端末に知らせ、同じデータを複数のＴＴＩの間に繰り返し送信することができる。
【０１２８】
一方、図１０（ａ）よりも制御チャネルのオーバーヘッド（overhead）を減らすために、図１０（ｂ）のように単一のＴＴＩで送信される制御チャネルが多数のＴＴＩで繰り返し送信されるデータをスケジューリングすることができる。すなわち、単一のＴＴＩで送信される制御チャネルが、多数のＴＴＩに対するデータスケジューリングを行うことができる。
【０１２９】
このように制御チャネルは、複数のＴＴＩで送信され、このとき、制御チャネルが送信されるＴＴＩの数は、データチャネルが送信されるＴＴＩの数より少ないことができる。このとき、データの繰り返し送信をスケジューリングするＤＣＩに含まれる特定の情報は、繰り返し送信されるデータに共通に適用できる。また、多数のＴＴＩで繰り返し送信されるデータをスケジューリングするＤＣＩ（Downlink Control Information）内のＭＣＳ（Modulation Coding Scheme）／ＲＡ（Resource Allocation）などの情報は、データが繰り返し送信される全てのＴＴＩに同様に適用される。また、ＤＣＩは、データが繰り返し送信される回数情報を含む。
【０１３０】
また、特定のＴＴＩで送信されるＤＣＩにより、該当ＴＴＩを含む複数のＴＴＩで繰り返し送信されるデータをスケジューリングする場合、該当ＤＣＩによりデータが繰り返し送信される回数ｋに関する情報を送信することができる。
【０１３１】
該当ＤＣＩに対する復号に成功すると、その後、繰り返し送信される残りのｋ−１個の連続する（または不連続である）ＴＴＩでは、ＤＣＩに対する復号を行わないか、または復号を行ってＤＣＩを検出しても該当ＤＣＩを廃棄するように設定することができる。このとき、復号を行わないかまたは廃棄されるＤＣＩは、Ｃ−ＲＮＴＩに基づくデータスケジューリング関連ＤＣＩまたは下りリンクデータスケジューリング関連ＤＣＩである。また、復号に成功したＤＣＩも、Ｃ−ＲＮＴＩに基づくデータスケジューリング関連ＤＣＩまたは下りリンクデータスケジューリング関連ＤＣＩである。
【０１３２】
現在、３ＧＰＰ  ＴＳ  ３６．２１３標準仕様によれば、送信モード１０（ＴＭ１０）に適用されるＤＣＩフォーマット２Ｄ上の２ビットのＰＱＩ（PDSCH rate matching and Quasi-colocation Indicator）フィールドが指示するＰＤＳＣＨ  ＲＥマッピングおよびＰＤＳＣＨ  ＡＰ  ＱＣＬ関連情報リストは、以下の通りである。
【０１３３】
2021523606.tif 000010
【０１３４】
上記情報は、ＰＱＩフィールドにより指示される状態に対応して設定され、かかる状態は、基地局が端末にＲＲＣシグナリングにより指示する。異なるＰＱＩ状態が互いに異なるＮＺＰ（Non Zero Power）ＣＳＩ−ＲＳ情報を示す場合、これは、異なるＴＰ（Transmission Point）のＰＤＳＣＨ送信であることができる。すなわち、異なるＰＱＩ状態が指示される場合、ＣｏＭＰの動的ＴＰ切替え（スイッチング）（dynamic TP switching）動作のためのものと判断することができる。
【０１３５】
一方、送信モード１０が設定された環境で上記のようなデータ繰り返し送信関連動作が適用される場合におけるＰＤＳＣＨ  ＲＥマッピング情報および／またはＰＤＳＣＨ  ＡＰ  ＱＣＬ関連情報を適用する方法について考える必要がある。特に、異なるサブフレーム間の境界にわたってデータの繰り返し送信が行われるとき、データの繰り返し送信中にＤＣＩが送信されない続く（後続の）サブフレームに含まれるＴＴＩで送信されるデータに関するＰＤＳＣＨ  ＲＥマッピング情報および／またはＰＤＳＣＨ  ＡＰ  ＱＣＬ関連情報をどのように適用するかに関する考慮が必要である。
【０１３６】
図１１は、ＰＤＳＣＨの繰り返し送信の例を示す図である。
【０１３７】
図１１の実施例において、端末がＴＴＩ＃ｎでＤＣＩを成功裏に検出し、該当ＤＣＩでデータの繰り返し送信回数が４に設定された場合、データ繰り返し送信が行われるＴＴＩ＃ｎ＋１、ｎ＋２、ｎ＋３上では、ＤＣＩを廃棄することができる。このとき、図１１に示すように、ＴＴＩ＃ｎ、ｎ＋１はサブフレーム＃ｋに含まれ、ＴＴＩ＃ｎ＋２、ｎ＋３はサブフレーム＃ｋ＋１に含まれる場合、サブフレーム＃ｋに含まれるＴＴＩ＃ｎで検出されたＤＣＩフォーマットのＰＱＩフィールドには、サブフレーム＃ｋ＋１に含まれるＴＴＩ＃ｎ＋２、ｎ＋３に適用されるＰＤＳＣＨレートマッチング用のＺＰ（Zero Power）ＣＳＩ−ＲＳ情報を端末に知らせることができない。したがって、サブフレーム＃ｋ＋１に含まれるＴＴＩ＃ｎ＋２、ｎ＋３に適用されるＰＤＳＣＨ  ＲＥマッピング情報を正しく知らせるための方式が必要である。
【０１３８】
なお、上記サブフレーム＃ｋとサブフレーム＃ｋ＋１との間で異なるＺＰ  ＣＳＩ−ＲＳ情報の適用が必要な場合は、サブフレーム＃ｋとサブフレーム＃ｋ＋１との間で、ＩＭＲの存在の有無、干渉セルのＣＳＩ−ＲＳの存在の有無などが異なる場合などである。
【０１３９】
また、ＴＴＩ＃ｎで検出されたＤＣＩおよび／または廃棄されたＤＣＩは、Ｃ−ＲＮＴＩに基づくデータスケジューリング関連ＤＣＩまたは下りリンクデータスケジューリング関連ＤＣＩである。
【０１４０】
以下、図１２ないし図１４を参照しながら、本発明の実施例による端末、基地局およびネットワークの観点における全般的な動作過程について説明する。
【０１４１】
まず、図１２は、本発明の実施例による端末の動作過程を説明する図である。
【０１４２】
図１２を参照すると、端末は、基地局から上位層により送信モード１０で動作するためのＲＲＣメッセージを受信する（Ｓ１２０１）。また、端末は、特定のサブフレームに含まれるＴＴＩで送信モード１０のためのＰＤＳＣＨ  ＲＥマッピング情報と繰り返し送信されるデータの繰り返し送信回数とを含むＤＣＩを検出する（Ｓ１２０３）。
【０１４３】
端末は、ＤＣＩに含まれる情報および送信モード１０による動作に基づいて繰り返し送信されるデータを受信するが（Ｓ１２０５）、このとき、送信モード１０によってＤＣＩに含まれるＰＤＳＣＨマッピング情報をどのように活用するかに関する具体的な方法は、後述する実施例に従う。
【０１４４】
図１３を参照して、本発明の実施例による基地局の動作過程について説明すると、基地局は、上位層により端末に送信モード１０で動作するためのＲＲＣメッセージを送信する（Ｓ１３０１）。基地局は、特定のサブフレームに含まれるＴＴＩで送信モード１０のためのＰＤＳＣＨ  ＲＥマッピング情報と繰り返し送信されるデータの繰り返し送信回数とを含むＤＣＩを送信する（Ｓ１３０３）。
【０１４５】
基地局は、ＤＣＩに含まれる情報および送信モード１０による動作に基づいて繰り返し送信されるデータを送信するが（Ｓ１２０５）、このとき、送信モード１０によってＤＣＩに含まれるＰＤＳＣＨマッピング情報をどのように活用するかに関する具体的な方法は、後述する実施例に従う。特に、基地局は、送信モード１０による動作を行うおよび／または設定するか、ＤＣＩに含まれる情報を生成および／または構成するとき、後述する実施例を考えることができる。
【０１４６】
図１４により、ネットワークの観点における本発明の実施例による全般的な動作について説明すると、基地局は、上位層により端末に送信モード１０で動作するためのＲＲＣメッセージを送信する（Ｓ１４０１）。また、基地局は、特定のサブフレームに含まれるＴＴＩで送信モード１０のためのＰＤＳＣＨ  ＲＥマッピング情報と繰り返し送信されるデータの繰り返し送信回数とを含むＤＣＩを送信する（Ｓ１４０３）。
【０１４７】
また、基地局は、ＤＣＩに含まれる情報および送信モード１０による動作に基づいて繰り返し送信されるデータを送信する（Ｓ１４０５）。このとき、ＤＣＩを受信した端末が送信モード１０によってＤＣＩに含まれるＰＤＳＣＨマッピング情報をどのように活用するかに関する具体的な方法は、後述する実施例に従う。
【０１４８】
また、基地局は、送信モード１０による動作を行うおよび／または設定するか、ＤＣＩに含まれる情報を生成および／または構成するとき、後述する実施例を考えることができる。
【０１４９】
以下、本発明によってサブフレーム＃ｋ＋１に含まれるＴＴＩ＃ｎ＋２、ｎ＋３に適用されるＰＤＳＣＨ  ＲＥマッピング情報を知らせるための実施例について説明する。
【０１５０】
送信モード１０が設定された場合、端末が、サブフレーム境界を基準として続くサブフレームに含まれるデータ繰り返し送信のためのＴＴＩのうちの一部のＴＴＩ（例えば、図１１においてＴＴＩ＃ｎ＋２のように続くサブフレーム内の１番目のＴＴＩ）で、常に該当送信モードに対応するＤＣＩフォーマットを有するＤＣＩに対する復号を行って検出し、この検出されたＤＣＩに基づいて、該当サブフレームのためのＰＤＳＣＨレートマッチングパターンを適用して繰り返し送信されるデータに対する復号を行うことができる。これは、繰り返し送信されるデータをスケジューリングする特定のＴＴＩで送信されたＤＣＩを検出した場合、続くＴＴＩで送信されるＤＣＩに対する復号を行わないか、または復号を行ってＤＣＩを検出しても該当ＤＣＩを廃棄する動作に関する例外になる。一方、上述したように、続くサブフレーム内の一部のＴＴＩで検出を行うＤＣＩは、Ｃ−ＲＮＴＩに基づくデータスケジューリング関連ＤＣＩである。
【０１５１】
一方、サブフレーム境界に続くサブフレームに属するデータ繰り返し送信ＴＴＩのうちの一部のＴＴＩ（例えば、図１１においてＴＴＩ＃ｎ＋２のように続くサブフレーム内の１番目のＴＴＩ）で復号を行い、端末がＤＣＩ内の一部の情報のみに従うようにすることができる。例えば、一部のＴＴＩで検出されたＤＣＩ内の情報のうち、ＰＱＩフィールドに含まれる情報のみを、続くサブフレーム内で繰り返し送信されるデータを受信するときに使用し、残りのフィールドに関する情報は、以前のサブフレーム内のＴＴＩで検出されたＤＣＩに含まれる情報を使用して、続くサブフレーム内で繰り返し送信されるデータを受信するときに使用する。すなわち、以前のサブフレームに含まれるＴＴＩで検出されたＤＣＩに含まれる情報のうち、ＰＱＩフィールドに含まれる情報のみを続くサブフレーム内の一部のＴＴＩで検出されたＤＣＩに含まれる情報に変更して繰り返し送信されるデータを受信する。
【０１５２】
また、端末が復号に成功したＤＣＩのＰＱＩフィールドが指示する状態に該当するＰＤＳＣＨ  ＲＥマッピング情報（例えば、ｃｓｉ−ＲＳ−ＣｏｎｆｉｇＺＰＩｄ）と、該当状態に対応するｑｃｌ−ＣＳＩ−ＲＳ−ＣｏｎｆｉｇＮＺＰＩｄと同じｑｃｌ−ＣＳＩ−ＲＳ−ＣｏｎｆｉｇＮＺＰＩｄを有する状態にリンク（連結）されたＰＤＳＣＨ  ＲＥマッピング情報（例えば、ｃｓｉ−ＲＳ−ＣｏｎｆｉｇＺＰＩｄ）と、の和集合を仮定して、サブフレーム＃ｋ＋１に適用されるＰＤＳＣＨレートマッチングパターン（rate-matching pattern）を導き出すことができる。
【０１５３】
例えば、同一のｑｃｌ−ＣＳＩ−ＲＳ−ＣｏｎｆｉｇＮＺＰＩｄを有する状態が２個であり、各々の状態にＺＰ  ＣＳＩ−ＲＳ設定＃１、＃２が連動すると、該当の設定、すなわち、ＺＰ  ＣＳＩ−ＲＳ設定＃１、＃２の和集合によりサブフレーム＃ｋ＋１に適用されるＰＤＳＣＨレートマッチングパターンを導き出すことができる。また、和集合に該当する情報は、データ繰り返し送信時に、該当する全ての繰り返し送信に適用されることができる。すなわち、データが繰り返し送信される全てのＴＴＩに和集合に該当する情報を適用することができる。
【０１５４】
あるいは、復号に成功したＤＣＩのＰＱＩフィールドが指示する状態に該当するＰＤＳＣＨ  ＲＥマッピング情報は、該当ＤＣＩがスケジューリングしたデータ繰り返し送信中に、該当ＤＣＩが復号されたサブフレーム、すなわち、以前のサブフレーム内に含まれるＴＴＩに限定的に適用され、和集合に該当する情報は、続くサブフレームに含まれるＴＴＩに限って適用されることができる。
【０１５５】
一方、上記実施例以外にも、データ繰り返し送信を指示するＤＣＩの復号に成功すると、復号されたＤＣＩに含まれるＰＤＳＣＨ  ＲＥマッピング情報を全ての該当データ繰り返し送信に適用することができる。すなわち、異なるサブフレームにわたって繰り返し送信が設定される場合、データ繰り返し送信のためのＴＴＩのうち、サブフレーム＃ｋ＋１に含まれるＴＴＩに適用されるＰＤＳＣＨ  ＲＥマッピング情報として、サブフレーム＃ｋに含まれるＴＴＩで検出されたＤＣＩにより指示されるＰＤＳＣＨ  ＲＥマッピング情報を使用することができる。すなわち、端末は、データの繰り返し送信中にＰＤＳＣＨレートマッチングパターンが変更することを期待しないことができる。すなわち、端末は、データの繰り返し送信中にＰＤＳＣＨ  ＲＥマッピング情報が変更することを期待しないことができる。すなわち、端末は、繰り返し送信を指示したＤＣＩのＰＱＩフィールドに含まれる情報によってデータが繰り返し送信される全てのＴＴＩに同一のレートマッチングを仮定し、ＰＤＳＣＨ復号を行うことができる。
【０１５６】
この場合、繰り返し送信のためのＤＣＩを検出すると、繰り返し送信のためのＴＴＩで送信されるＤＣＩを検出しないかまたは廃棄する動作の例外動作を定義しなくてもよい。すなわち、端末は、どの送信モードが設定されたかに関係なく、データの繰り返し送信のためのＤＣＩ検出のために同じ動作を行えばよいので、曖昧さ（ambiguity）が減少する。特に、送信モード１０において他の実施例のように行われる場合、繰り返し送信が行われるサブフレームを送信するＴＰが同一である場合、端末は、一度ＤＣＩ検出に成功すると、さらにＤＣＩを検出する必要がなく、繰り返し送信が行われるサブフレームが互いに異なるＴＰにより送信されると、さらにＤＣＩ検出が必要であることもできるが、実際に、端末は、各々のサブフレームがどのＴＰにより送信されるかを認知できないので、更なるＤＣＩの検出動作が必要であるか否かに対する混乱を増加させる恐れがある。
【０１５７】
したがって、かかる端末動作の混乱を減らすために、端末は、データの繰り返し送信中にＰＤＳＣＨレートマッチングパターンが変わることを期待しないことが好ましい。
【０１５８】
ただし、この実施例以外にもデータ繰り返し送信が行われる場合、またはデータ繰り返し送信が互いに異なるサブフレームにわたって行われる場合に適用可能なＰＤＳＣＨ  ＲＥマッピング関連情報を、予めシステムに定義するか、または基地局が端末に上位層シグナリングおよび／もしくは物理層シグナリングにより知らせることができる。
【０１５９】
このとき、予め定義されるかまたは基地局が端末に知らせたＰＤＳＣＨ  ＲＥマッピング関連情報は、全てのデータ繰り返し送信に適用でき、互いに異なるサブフレームにわたって繰り返し送信が行われる場合、データが繰り返し送信されるＴＴＩのうち、続くサブフレームに含まれるＴＴＩに限って適用されることができる。
【０１６０】
一方、上記設定可能なＰＤＳＣＨ  ＲＥマッピング情報としては、設定可能な全てのＩＭＲ（Interference Measurement Resource）、干渉セルのＣＳＩ−ＲＳなどの最悪のケースを仮定したＰＤＳＣＨ  ＲＥマッピング情報であることができる。
【０１６１】
また、サブフレーム＃ｋ＋１に適用されるＰＤＳＣＨレートマッチングパターンをｑｃｌ−ＣＳＩ−ＲＳ−ＣｏｎｆｉｇＮＺＰＩｄごとに予め定義し、基地局が、端末に上位層シグナリングおよび／または物理層シグナリングにより知らせることができる。あるいは、ＰＱＩ状態ごとにサブフレーム＃ｋ＋１に適用されるＰＤＳＣＨレートマッチングパターンを予め定義し、基地局が端末に上位層シグナリングおよび／または物理層シグナリングにより知らせることもできる。
【０１６２】
このとき、サブフレーム＃ｋ＋１に適用されるＰＤＳＣＨレートマッチングパターンに対応するＰＱＩ状態は、復号に成功したＤＣＩのＰＱＩフィールドが指示する状態に対応する。
【０１６３】
一方、データの繰り返し送信に関連して、設定される送信モードによってデータが単一のサブフレームタイプおよび／もしくは単一のサブフレーム内のみで繰り返し送信されるか、または異なるサブフレームタイプおよび／もしくは互いに異なるサブフレーム間にわたって送信されるかは、システムにおいて予め定義されるか、または基地局が端末に上位層シグナリングおよび／もしくは物理層シグナリングにより指示することができる。
【０１６４】
例えば、送信モード１０に設定された場合、データの繰り返し送信が単一のサブフレームタイプおよび／もしくは単一のサブフレーム内のみで送信されるように予め定義されるか、またはデータの繰り返し送信が単一のサブフレームタイプおよび／もしくは単一のサブフレーム内のみで送信されるように、基地局が端末に上位層シグナリングおよび／もしくは物理層シグナリングにより指示することができる。
【０１６５】
なお、データを繰り返し送信する動作を行う場合、繰り返し送信に該当する各送信が各々異なるＴＰにより送信されることができ、同じデータに対する繰り返し送信は、いずれも同一のＴＰで送信されると限定することができる。すなわち、端末は、同一のデータに対する繰り返し送信を受信するように指示された場合、該当の繰り返し送信が異なるＴＰで送信されることを期待しない。繰り返し送信されるデータが異なるＴＰで送信される場合には、基地局が、端末に上位層シグナリングおよび／または物理層シグナリングにより各ＴＰに対するＰＤＳＣＨ  ＲＥマッピング情報を知らせることができる。
【０１６６】
あるいは、端末は、ＰＤＳＣＨ  ＲＥマッピングに対する最悪のケースを仮定して動作することもできる。例えば、各ＴＰまたは各ＴＰに関連するＣＳＩ−ＲＳに対するＭＢＳＦＮサブフレーム設定を、基地局が、端末に上位層シグナリングおよび／または物理層シグナリングにより知らせることもでき、常にｎｏｎ−ＭＢＳＦＮサブフレームであるなどの最悪のケースを仮定してＰＤＳＣＨ  ＲＥマッピングを適用することができる。一方、上記情報と共に、基地局は、端末に上位層シグナリングおよび／または物理層シグナリングにより繰り返し送信されるデータが各々どのＴＰから送信されるかに関する情報も知らせることができる。
【０１６７】
また、多数のＴＴＩにわたって繰り返し送信されるデータに各々適用されるＰＱＩ状態に対するシーケンスもしくはパターンをシステムにおいて予め定義するか、または基地局が端末に上位層シグナリングおよび／もしくは物理層シグナリングにより知らせることができる。あるいは、多数のＴＴＩにわたって繰り返し送信されるデータの各々に適用されるＰＱＩ状態のシーケンスもしくはパターンに対する候補を予めシステムに定義するか、または基地局が端末に上位層シグナリングにより知らせ、該当データの繰り返し送信時に各ＴＴＩでＰＱＩ状態がどのシーケンス候補もしくはパターン候補に適用されるかをＤＣＩフィールドにより指示することができる。このとき、各ＴＴＩで適用されるＰＱＩ状態がどのシーケンス候補またはパターン候補に適用されるかを指示するフィールドとしては、既存のＰＱＩフィールドを再活用することができ、新しいフィールドを定義することもできる。
【０１６８】
図１５は、本発明の実施例による無線通信装置の一実施例を示す。
【０１６９】
図１５に示す無線通信装置は、本発明の実施例による端末および／または基地局を示す。しかしながら、図１５の無線通信装置は、本実施例による端末および／または基地局に限られず、車両通信システムまたは装置、ウェアラブル（wearable）装置、ラップトップ、スマートホンなどの様々な装置に置き換えられることができる。
【０１７０】
図１５を参照すると、本発明の実施例による端末および／または基地局は、デジタル信号プロセッサ（Digital Signal Processor；ＤＳＰ）またはマイクロプロセッサなどの少なくとも１つのプロセッサ１０、トランシーバ３５、電力管理モジュール５、アンテナ４０、バッテリ５５、ディスプレイ１５、キーパッド２０、メモリ３０、加入者識別モジュール（ＳＩＭ）カード２５、スピーカ４５およびマイクロホン５０などを含む。また、端末および／または基地局は、単一アンテナまたはマルチアンテナを含む。一方、トランシーバ３５は、ＲＦモジュール（Radio Frequency Module）とも呼ばれる。
【０１７１】
プロセッサ１０は、図１ないし図１４に説明された機能、手順および／または方法を具現するように構成される。図１ないし図１４に説明された実施例のうちの少なくとも一部において、プロセッサ１０は、無線インターフェースプロトコルの層（例えば、機能層）のような１つまたは複数のプロトコルを具現することができる。
【０１７２】
メモリ３０は、プロセッサ１０に接続されてプロセッサ１０の動作に関する情報を記憶する。メモリ３０は、プロセッサ１０の内部または外部に位置し、有線または無線通信のような様々な技術によってプロセッサに接続される。
【０１７３】
ユーザは、キーパッド２０のボタンを押すことで、またはマイクロホン５０を用いた音声活性化のような様々な技術による様々なタイプの情報（例えば、電話番号のような指示情報）を入力することができる。プロセッサ１０は、ユーザの情報を受信および／または処理して、電話番号をダイヤルするなどの適宜な機能を行う。
【０１７４】
また、適宜な機能を行うために、ＳＩＭカード２５またはメモリ３０からデータ（例えば、操作データ）を検索することもできる。プロセッサ１０は、ＧＰＳチップからＧＰＳ情報を受信および処理して、カーナビゲーション、マップサービスなどの端末および／もしくは基地局の位置情報を得るか、または位置情報に関する機能を行う。また、プロセッサ１０は、ユーザの参照および便宜のために、このような様々なタイプの情報およびデータをディスプレイ１５上に表示してもよい。
【０１７５】
トランシーバ３５は、プロセッサ１０に接続されて、ＲＦ（Radio Frequency）信号のような無線信号を送信および／または受信する。このとき、プロセッサ１０は、通信を開始して、音声通信データのような様々なタイプの情報またはデータを含む無線信号を送信するように、トランシーバ３５を制御する。トランシーバ３５は、無線信号を受信する受信器および送信する送信器を含む。アンテナ４０は、無線信号の送信および受信を容易にする。一部の実施例において、無線信号を受信すると、トランシーバ３５は、プロセッサ１０による処理のために、ベースバンド（基底帯域）周波数に信号をフォワードおよび変換することができる。処理された信号は、可聴または読み取り可能な情報に変換されるなど、様々な技術によって処理され、この信号は、スピーカ４５を介して出力されることができる。
【０１７６】
一部の実施例において、センサは、プロセッサ１０に接続されてもよい。センサは、速度、加速度、光、振動などを含む様々なタイプの情報が検出されることができるように構成された１つまたは複数の検知装置を含む。近接、位置、イメージなどのようにセンサから得られたセンサ情報を、プロセッサ１０が受信して処理することで、衝突回避、自律走行などの各種の機能を行うことができる。
【０１７７】
一方、カメラ、ＵＳＢポートなどの様々な構成要素が端末および／または基地局にさらに含まれてもよい。例えば、カメラがプロセッサ１０にさらに接続されてもよく、このカメラは、自律走行、車両安全サービスのような様々なサービスに利用されることができる。
【０１７８】
このように、図１５は、端末および／または基地局を構成する装置の一実施例に過ぎず、これに限定されるものではない。例えば、キーパッド２０、ＧＰＳ（Global Positioning System）チップ、センサ、スピーカ４５および／またはマイクロホン５０のような一部の構成要素は、一部の実施例において端末および／または基地局の具現のために除外されてもよい。
【０１７９】
より具体的には、本発明の実施例を具現するために、図１５に示した無線通信装置が本発明の実施例による端末である場合の動作について説明する。無線通信装置が本発明の実施例による端末である場合、プロセッサ１０は、基地局から上位層により送信モード１０で動作するためのＲＲＣメッセージを受信するようにトランシーバ（Transceiver）３５を制御する。また、プロセッサ１０は、特定のサブフレームに含まれるＴＴＩで送信モード１０のためのＰＤＳＣＨ  ＲＥマッピング情報と繰り返し送信されるデータの繰り返し送信回数とを含むＤＣＩを検出する。
【０１８０】
プロセッサ１０は、ＤＣＩに含まれる情報および送信モード１０による動作に基づいて、繰り返し送信されるデータを受信するようにトランシーバ３５を制御するが、このとき、送信モード１０によってＤＣＩに含まれるＰＤＳＣＨマッピング情報をどのように活用するかに関する具体的な方法は、図１ないし図１４に基づいて本発明に記載した実施例に従う。
【０１８１】
また、本発明の実施例を具現するために、図１５に示した無線通信装置が本発明の実施例による基地局である場合、プロセッサ１０は、上位層により端末に送信モード１０で動作するためのＲＲＣメッセージを送信するようにトランシーバ３５を制御する。また、プロセッサ１０は、特定のサブフレームに含まれるＴＴＩで送信モード１０のためのＰＤＳＣＨ  ＲＥマッピング情報と繰り返し送信されるデータの繰り返し送信回数とを含むＤＣＩを送信するようにトランシーバ３５を制御する。
【０１８２】
また、プロセッサ１０は、ＤＣＩに含まれる情報および送信モード１０による動作に基づいて、繰り返し送信されるデータを送信するようにトランシーバ３５を制御するが、このとき、送信モード１０によってＤＣＩに含まれるＰＤＳＣＨマッピング情報をどのように活用するかに関する具体的な方法は、図１ないし図１４に基づいて本発明に記載した実施例に従う。
【０１８３】
特に、基地局に含まれるプロセッサ１０は、送信モード１０による動作を行うおよび／もしくは設定するか、またはＤＣＩに含まれる情報を生成および／もしくは構成するとき、図１ないし図１４に基づいて本発明に記載した実施例を考慮する。
【０１８４】
以上説明してきた実施例は、本発明の構成要素および特徴を所定の形態に結合したものである。各構成要素または特徴は、別の明示的な言及がない限り、選択的なものとして考慮しなければならない。各構成要素または特徴は、他の構成要素や特徴と結合しない形態で実施することもでき、一部の構成要素および／または特徴を結合して本発明の実施例を構成することもできる。本発明の実施例で説明される動作の順序は、変更されてもよい。ある実施例の一部構成や特徴は、他の実施例に含まれてもよく、他の実施例の対応する構成または特徴に置き換わってもよい。特許請求の範囲において明示的な引用関係にない請求項を結合して実施例を構成したり、出願後の補正により新しい請求項として含めたりできるということは明らかである。
【０１８５】
本文書で基地局によって行われるとした特定動作は、場合によっては、その上位ノード（upper ode）によって行われることもある。すなわち、基地局を含む複数のネットワークノード（network nodes）からなるネットワークにおいて端末との通信のために行われる様々な動作は、基地局または基地局以外の他のネットワークノードによって行われ得ることは明らかである。基地局は、固定局（fixed station）、ＮｏｄｅＢ、ｅＮｏｄｅＢ（ｅＮＢ）、アクセスポイント（access point）などの用語にしてもよい。
【０１８６】
本発明に係る実施例は、様々な手段、例えば、ハードウェア、ファームウェア（firmware）、ソフトウェアまたはそれらの結合などによって具現されることができる。ハードウェアによる具現では、本発明の一実施例は、１つまたは複数のＡＳＩＣｓ（Application Specific Integrated Circuits）、ＤＳＰｓ（Digital Signal Processors）、ＤＳＰＤｓ（Digital Signal Processing Devices）、ＰＬＤｓ（Programmable Logic Devices）、ＦＰＧＡｓ（Field Programmable Gate Arrays）、プロセッサ、コントローラ、マイクロコントローラ、マイクロプロセッサなどによって具現されることができる。
【０１８７】
ファームウェアやソフトウェアによる具現では、本発明の一実施例は、上述した機能または動作を実行するモジュール、手順、関数などの形態で具現されてもよい。ソフトウェアコードは、メモリユニットに記憶され、プロセッサによって駆動可能である。メモリユニットは、プロセッサの内部または外部に設けられ、公知の様々な手段によってプロセッサとデータを交換することができる。
【０１８８】
本発明は、本発明の特徴から逸脱しない範囲で別の特定の形態で具体化できるということが、当業者にとっては自明である。したがって、上記の詳細な説明は、いずれの面においても制限的に解釈してはならず、例示的なものとして考慮しなければならない。本発明の範囲は、添付の請求項の合理的な解釈によって決定すべきであり、本発明の等価的範囲内における変更は、いずれも本発明の範囲に含まれる。
【産業上の利用可能性】
【０１８９】
以上のような下りリンクデータチャネルを送受信する方法およびそのための装置は、３ＧＰＰ  ＬＴＥシステムに適用される例を中心として説明したが、３ＧＰＰ  ＬＴＥシステム以外にも様々な無線通信システムに適用されることができる。
【図１】
2021523606.tif 000011
【図２】
2021523606.tif 000012
【図３】
2021523606.tif 000013
【図４】
2021523606.tif 000014
【図５】
2021523606.tif 000015
【図６】
2021523606.tif 000016
【図７】
2021523606.tif 000017
【図８】
2021523606.tif 000018
【図９】
2021523606.tif 000019
【図１０（ａ）】
2021523606.tif 000020
【図１０（ｂ）】
2021523606.tif 000021
【図１１】
2021523606.tif 000022
【図１２】
2021523606.tif 000023
【図１３】
2021523606.tif 000024
【図１４】
2021523606.tif 000025
【図１５】
2021523606.tif 000026
【手続補正書】
【提出日】令和2年11月5日(2020.11.5)
【手続補正１】
【補正対象書類名】特許請求の範囲
【補正対象項目名】全文
【補正方法】変更
【補正の内容】
【特許請求の範囲】
【請求項１】
無線通信システムにおいて、送信モード１０で動作するように構成された端末（user equipment；ＵＥ）が物理下りリンク共有チャネル（Physical Downlink Control CHannel；ＰＤＳＣＨ）を受信する方法であって、
短い送信時間間隔（short Transmission Time Interval；ｓＴＴＩ）で、前記ｓＴＴＩに関するＰＤＳＣＨリソース要素（Resource Element；ＲＥ）マッピングおよびＰＤＳＣＨアンテナポート疑似コロケーション（Quasi Co-Location；ＱＣＬ）に関連するＰＤＳＣＨレートマッチングおよび疑似コロケーションインジケータ（PDSCH rate matching and Quasi co-location Indicator；ＰＱＩ）情報を有する下りリンク制御情報（Downlink Control Information；ＤＣＩ）を受信し、
前記ｓＴＴＩおよび前記ｓＴＴＩに続く少なくとも１つのｓＴＴＩで、前記ＰＱＩ情報に基づいて前記ＰＤＳＣＨの繰り返し送信を受信することを有し、
前記ＰＱＩ情報は、前記ｓＴＴＩと前記少なくとも１つのｓＴＴＩの全てとに関して共通に用いられる、方法。
【請求項２】
前記ＰＱＩ情報に基づいて、前記ＰＤＳＣＨの繰り返し送信を復号することをさらに有する、請求項１に記載の方法。
【請求項３】
前記ＰＤＳＣＨの繰り返し送信を受信することは、
同じ送信ポイント（Transmission Point；ＴＰ）で、前記ｓＴＴＩおよび前記少なくとも１つのｓＴＴＩにおいて繰り返し送信される前記ＰＤＳＣＨを受信することを有する、請求項１に記載の方法。
【請求項４】
前記ｓＴＴＩは、第１のサブフレームに有され、
前記少なくとも１つのｓＴＴＩの少なくとも一部は、第２のサブフレームに有され、
前記第１のサブフレームは、前記第２のサブフレームの直前に位置する、請求項１に記載の方法。
【請求項５】
前記ＤＣＩは、セル無線ネットワーク一時識別子（Cell-Radio Network Temporary Identifier；Ｃ−ＲＮＴＩ）に基づくデータスケジューリングに関連する、請求項１に記載の方法。
【請求項６】
前記ｓＴＴＩおよび前記少なくとも１つのｓＴＴＩは、時間において連続する、請求項１に記載の方法。
【請求項７】
送信モード１０で動作するように構成された装置であって、
少なくとも１つのプロセッサと、
前記少なくとも１つのプロセッサに動作可能に接続され、前記少なくとも１つのプロセッサによって実行されると動作を行う命令（instructions）を記憶する少なくとも１つのメモリと、を有し、
前記動作は、
短い送信時間間隔（short Transmission Time Interval；ｓＴＴＩ）で、前記ｓＴＴＩに関する物理下りリンク共有チャネル（Physical Downlink Control CHannel；ＰＤＳＣＨ）リソース要素（Resource Element；ＲＥ）マッピングおよびＰＤＳＣＨアンテナポート疑似コロケーション（Quasi Co-Location；ＱＣＬ）に関連するＰＤＳＣＨレートマッチングおよび疑似コロケーションインジケータ（PDSCH rate matching and Quasi co-location Indicator；ＰＱＩ）情報を有する下りリンク制御情報（Downlink Control Information；ＤＣＩ）を受信し、
前記ｓＴＴＩおよび前記ｓＴＴＩに続く少なくとも１つのｓＴＴＩで、前記ＰＱＩ情報に基づいてＰＤＳＣＨの繰り返し送信を受信することを有し、
前記ＰＱＩ情報は、前記ｓＴＴＩと前記少なくとも１つのｓＴＴＩの全てとに関して共通に用いられる、装置。
【請求項８】
前記動作は、
前記ＰＱＩ情報に基づいて、前記ＰＤＳＣＨの繰り返し送信を復号することをさらに有する、請求項７に記載の装置。
【請求項９】
前記ＰＤＳＣＨの繰り返し送信を受信することは、
同じ送信ポイント（Transmission Point；ＴＰ）で、前記ｓＴＴＩおよび前記少なくとも１つのｓＴＴＩにおいて繰り返し送信される前記ＰＤＳＣＨを受信することを有する、請求項７に記載の装置。
【請求項１０】
前記ｓＴＴＩは、第１のサブフレームに有され、
前記少なくとも１つのｓＴＴＩの少なくとも一部は、第２のサブフレームに有され、
前記第１のサブフレームは、前記第２のサブフレームの直前に位置する、請求項７に記載の装置。
【請求項１１】
前記ＤＣＩは、セル無線ネットワーク一時識別子（Cell-Radio Network Temporary Identifier；Ｃ−ＲＮＴＩ）に基づくデータスケジューリングに関連する、請求項７に記載の装置。
【請求項１２】
前記ｓＴＴＩおよび前記少なくとも１つのｓＴＴＩは、時間において連続する、請求項７に記載の装置。
【請求項１３】
無線通信システムにおいて、送信モード１０に基づいて動作する基地局（Base Station；ＢＳ）が物理下りリンク共有チャネル（Physical Downlink Control CHannel；ＰＤＳＣＨ）を送信する方法であって、
短い送信時間間隔（short Transmission Time Interval；ｓＴＴＩ）で、前記ｓＴＴＩに関するＰＤＳＣＨリソース要素（Resource Element；ＲＥ）マッピングおよびＰＤＳＣＨアンテナポート疑似コロケーション（Quasi Co-Location；ＱＣＬ）に関連するＰＤＳＣＨレートマッチングおよび疑似コロケーションインジケータ（PDSCH rate matching and Quasi co-location Indicator；ＰＱＩ）情報を有する下りリンク制御情報（Downlink Control Information；ＤＣＩ）を送信し、
前記ｓＴＴＩおよび前記ｓＴＴＩに続く少なくとも１つのｓＴＴＩで、前記ＰＱＩ情報に基づいて前記ＰＤＳＣＨの繰り返し送信を送信することを有し、
前記ＰＱＩ情報は、前記ｓＴＴＩと前記少なくとも１つのｓＴＴＩの全てとに関して共通に用いられる、方法。
【請求項１４】
送信モード１０で動作するように構成された端末（user equipment；ＵＥ）であって、
少なくとも１つのトランシーバと、
少なくとも１つのプロセッサと、
前記少なくとも１つのプロセッサに動作可能に接続され、前記少なくとも１つのプロセッサによって実行されると動作を行う命令（instructions）を記憶する少なくとも１つのメモリと、を有し、
前記動作は、
前記少なくとも１つのトランシーバを介して、短い送信時間間隔（short Transmission Time Interval；ｓＴＴＩ）で、前記ｓＴＴＩに関する物理下りリンク共有チャネル（Physical Downlink Control CHannel；ＰＤＳＣＨ）リソース要素（Resource Element；ＲＥ）マッピングおよびＰＤＳＣＨアンテナポート疑似コロケーション（Quasi Co-Location；ＱＣＬ）に関連するＰＤＳＣＨレートマッチングおよび疑似コロケーションインジケータ（PDSCH rate matching and Quasi co-location Indicator；ＰＱＩ）情報を有する下りリンク制御情報（Downlink Control Information；ＤＣＩ）を受信し、
前記少なくとも１つのトランシーバを介して、前記ｓＴＴＩおよび前記ｓＴＴＩに続く少なくとも１つのｓＴＴＩで、前記ＰＱＩ情報に基づいてＰＤＳＣＨの繰り返し送信を受信することを有し、
前記ＰＱＩ情報は、前記ｓＴＴＩと前記少なくとも１つのｓＴＴＩの全てとに関して共通に用いられる、端末。
【請求項１５】
送信モード１０に基づいて動作するように構成された基地局（Base Station；ＢＳ）であって、
少なくとも１つのトランシーバと、
少なくとも１つのプロセッサと、
前記少なくとも１つのプロセッサに動作可能に接続され、前記少なくとも１つのプロセッサによって実行されると動作を行う命令（instructions）を記憶する少なくとも１つのメモリと、を有し、
前記動作は、
前記少なくとも１つのトランシーバを介して、短い送信時間間隔（short Transmission Time Interval；ｓＴＴＩ）で、前記ｓＴＴＩに関する物理下りリンク共有チャネル（Physical Downlink Control CHannel；ＰＤＳＣＨ）リソース要素（Resource Element；ＲＥ）マッピングおよびＰＤＳＣＨアンテナポート疑似コロケーション（Quasi Co-Location；ＱＣＬ）に関連するＰＤＳＣＨレートマッチングおよび疑似コロケーションインジケータ（PDSCH rate matching and Quasi co-location Indicator；ＰＱＩ）情報を有する下りリンク制御情報（Downlink Control Information；ＤＣＩ）を送信し、
前記少なくとも１つのトランシーバを介して、前記ｓＴＴＩおよび前記ｓＴＴＩに続く少なくとも１つのｓＴＴＩで、前記ＰＱＩ情報に基づいてＰＤＳＣＨの繰り返し送信を送信することを有し、
前記ＰＱＩ情報は、前記ｓＴＴＩと前記少なくとも１つのｓＴＴＩの全てとに関して共通に用いられる、基地局。
【国際調査報告】
2021523606.tif 000027
2021523606.tif 000028
2021523606.tif 000029
2021523606.tif 000030